(57)【要約】  マシンツーマシン（Ｍ２Ｍ）デバイス（たとえば、スマートメーター）のトリガリングのためのシステムおよび装置が提供される。一態様では、マシンツーマシン通信のための方法が提供される。本方法は、サーバからデバイストリガリング要求メッセージを受信することを含む。デバイストリガリング要求メッセージは識別子を含む。本方法は、デバイストリガリング要求メッセージの内容と上記識別子とに基づいてマシンツーマシンサービスレイヤプロトコルを識別することをさらに含む。本方法は、上記識別子に少なくとも部分的に基づいてセンサーを識別することをさらに含む。本方法は、識別されたマシンツーマシンサービスレイヤプロトコルによって定義されるようにセンサーにメッセージを送ることをさらに含む。他の態様、実施形態、および特徴も請求され、説明される。
2015519790.tif 000002
【特許請求の範囲】
【請求項１】
マシンツーマシン通信のための方法であって、前記方法は下記を備える、
サーバからデバイストリガリング要求メッセージを受信することであって、前記デバイストリガリング要求メッセージが識別子を備える、と、
前記デバイストリガリング要求メッセージの内容と前記識別子とに基づいてマシンツーマシンサービスレイヤプロトコルを識別することと、
前記識別子に少なくとも部分的に基づいてセンサーを識別することと、
前記識別されたマシンツーマシンサービスレイヤプロトコルによって定義されるように前記センサーにメッセージを送ること。
【請求項２】
前記センサーを識別することが、前記識別子に基づいて、および前記マシンツーマシンサービスレイヤプロトコルによって定義されるように、前記センサーを識別することをさらに備える、請求項１に記載の方法。
【請求項３】
識別された前記マシンツーマシンサービスレイヤプロトコルによって定義されるように前記サーバに前記デバイストリガリング要求の肯定応答を送ることをさらに備える、請求項１に記載の方法。
【請求項４】
前記マシンツーマシンサービスレイヤプロトコルによって定義されるように前記肯定応答を送ることが、前記センサーから別の肯定応答を受信した後に前記肯定応答を送ることと、前記センサーに前記デバイストリガリング要求を送る前に前記肯定応答を送ることと、前記肯定応答を送るためのタイマー値を調整することとのうちの少なくとも１つを備える、請求項３に記載の方法。
【請求項５】
前記デバイストリガリング要求メッセージが、前記デバイストリガリング要求を受信するために使用される通信プロトコルによって定義されるようにデータパケット中にカプセル化される、請求項１に記載の方法。
【請求項６】
前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、請求項５に記載の方法。
【請求項７】
前記デバイストリガリング要求は、前記デバイストリガリング要求メッセージが前記デバイストリガリング要求を受信するために使用される前記通信プロトコルに依存しないように、カプセル化される、請求項５に記載の方法。
【請求項８】
前記サービスレイヤプロトコルによって定義されるように前記デバイストリガリング要求を受信したことに応答して前記サーバへの通信リンクを開始することをさらに備える、請求項１に記載の方法。
【請求項９】
マシンツーマシン通信のためのワイヤレス通信装置であって、前記装置は、
サーバからデバイストリガリング要求メッセージを受信するように構成された受信機であって、前記デバイストリガリング要求メッセージが識別子を備える、受信機と、
前記デバイストリガリング要求メッセージの内容と前記識別子とに基づいてマシンツーマシンサービスレイヤプロトコルを識別することと、
前記識別子に少なくとも部分的に基づいてセンサーを識別することと
を行うように構成されたプロセッサと、
前記識別されたマシンツーマシンサービスレイヤプロトコルによって定義されるように前記センサーにメッセージを送るように構成された送信機と
を備える、ワイヤレス通信装置。
【請求項１０】
前記プロセッサが、前記識別子に少なくとも部分的に基づいて、および識別された前記マシンツーマシンサービスレイヤプロトコルによって定義されるように、前記センサーを識別するように構成された、請求項９に記載の装置。
【請求項１１】
識別された前記マシンツーマシンサービスレイヤプロトコルによって定義されるように前記サーバに前記デバイストリガリング要求の肯定応答を送るように構成された送信機をさらに備える、請求項９に記載の装置。
【請求項１２】
前記送信機が、前記センサーから別の肯定応答を受信した後に前記肯定応答を送ることと、前記センサーに前記デバイストリガリング要求を送る前に前記肯定応答を送ることと、前記肯定応答を送るためのタイマー値を調整することとのうちの少なくとも１つを行うように構成された、請求項１１に記載の装置。
【請求項１３】
前記デバイストリガリング要求メッセージが、前記デバイストリガリング要求を受信するために使用される通信プロトコルによって定義されるようにデータパケット中にカプセル化される、請求項９に記載の装置。
【請求項１４】
前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの少なくとも１つを備える、請求項１３に記載の装置。
【請求項１５】
前記デバイストリガリング要求は、前記デバイストリガリング要求メッセージが前記デバイストリガリング要求を受信するために使用される前記通信プロトコルに依存しないように、カプセル化される、請求項１３に記載の装置。
【請求項１６】
前記プロセッサが、前記サービスレイヤプロトコルによって定義されるように前記デバイストリガリング要求を受信したことに応答して前記サーバへの通信リンクを開始するようにさらに構成された、請求項１６に記載の装置。
【請求項１７】
マシンツーマシン通信のためのワイヤレス通信装置であって、前記装置は、
サーバからデバイストリガリング要求メッセージを受信するための手段であって、前記デバイストリガリング要求メッセージが識別子を備える、受信するための手段と、
前記デバイストリガリング要求メッセージの内容と前記識別子とに基づいてマシンツーマシンサービスレイヤプロトコルを識別するための手段と、
前記識別子に少なくとも部分的に基づいてセンサーを識別するための手段と、
前記識別されたマシンツーマシンサービスレイヤプロトコルによって定義されるように前記センサーにメッセージを送るための手段と
を備える、ワイヤレス通信装置。
【請求項１８】
前記センサーを識別するための前記手段が、前記識別子に基づいて、および前記マシンツーマシンサービスレイヤプロトコルによって定義されるように、前記センサーを識別するための手段をさらに備える、請求項１７に記載の装置。
【請求項１９】
識別された前記マシンツーマシンサービスレイヤプロトコルによって定義されるように前記サーバに前記デバイストリガリング要求の肯定応答を送るための手段をさらに備える、請求項１７に記載の装置。
【請求項２０】
前記マシンツーマシンサービスレイヤプロトコルによって定義されるように前記肯定応答を送るための前記手段が、前記センサーから別の肯定応答を受信した後に前記肯定応答を送るための手段と、前記センサーに前記デバイストリガリング要求を送る前に前記肯定応答を送るための手段と、前記肯定応答を送るためのタイマー値を調整するための手段とのうちの少なくとも１つを備える、請求項１９に記載の装置。
【請求項２１】
前記デバイストリガリング要求メッセージが、前記デバイストリガリング要求を受信するために使用される通信プロトコルによって定義されるようにデータパケット中にカプセル化される、請求項１７に記載の装置。
【請求項２２】
前記デバイストリガリング要求は、前記デバイストリガリング要求メッセージが前記デバイストリガリング要求を受信するために使用される前記通信プロトコルに依存しないように、カプセル化される、請求項２１に記載の装置。
【請求項２３】
実行されたとき、装置に、マシンツーマシン通信のための方法を実行することを行わせる、命令でその上に符号化されたコンピュータ可読記憶媒体を備えるコンピュータプログラム製品であって、前記方法は、
サーバからデバイストリガリング要求メッセージを受信することであって、前記デバイストリガリング要求メッセージが識別子を備える、受信することと、
前記デバイストリガリング要求メッセージの内容と前記識別子とに基づいてマシンツーマシンサービスレイヤプロトコルを識別することと、
前記識別子に少なくとも部分的に基づいてセンサーを識別することと、
前記識別されたマシンツーマシンサービスレイヤプロトコルによって定義されるように前記センサーにメッセージを送ることと
を備える、
コンピュータプログラム製品。
【請求項２４】
前記センサーを識別することが、前記識別子に基づいて、および前記マシンツーマシンサービスレイヤプロトコルによって定義されるように、前記センサーを識別することをさらに備える、請求項２３に記載のコンピュータプログラム製品。
【請求項２５】
前記方法が、識別された前記マシンツーマシンサービスレイヤプロトコルによって定義されるように前記サーバに前記デバイストリガリング要求の肯定応答を送ることをさらに備え、前記マシンツーマシンサービスレイヤプロトコルによって定義されるように前記肯定応答を送ることが、前記センサーから別の肯定応答を受信した後に前記肯定応答を送ることと、前記センサーに前記デバイストリガリング要求を送る前に前記肯定応答を送ることと、前記肯定応答を送るためのタイマー値を調整することとのうちの少なくとも１つを備える、請求項２３に記載のコンピュータプログラム製品。
【請求項２６】
前記デバイストリガリング要求メッセージが、前記デバイストリガリング要求を受信するために使用される通信プロトコルによって定義されるようにデータパケット中にカプセル化される、請求項２３に記載のコンピュータプログラム製品。
【請求項２７】
マシンツーマシン通信のための方法であって、前記方法は、
デバイストリガリング要求メッセージを生成することであって、前記デバイストリガリング要求メッセージが、識別子を備え、センサーと通信しているワイヤレスデバイスによって少なくとも部分的に使用されるマシンツーマシンサービスレイヤプロトコルを示す情報を備える、生成することと、
前記センサーと通信している前記ワイヤレスデバイスに前記デバイストリガリング要求メッセージを送信することと
を備える、方法。
【請求項２８】
識別された前記マシンツーマシンサービスレイヤプロトコルによって定義されるように前記ワイヤレスデバイスから前記デバイストリガリング要求の肯定応答を受信することをさらに備える、請求項２７に記載の方法。
【請求項２９】
前記デバイストリガリング要求メッセージを送信することが、通信プロトコルによって定義されるようにデータパケットを送信することを備え、前記デバイストリガリング要求メッセージが前記データパケット中にカプセル化される、請求項２７に記載の方法。
【請求項３０】
前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、請求項２９に記載の方法。
【請求項３１】
前記デバイストリガリング要求は、前記デバイストリガリング要求メッセージが前記デバイストリガリング要求を送信するために使用される前記通信プロトコルに依存しないように、カプセル化される、請求項２９に記載の方法。
【請求項３２】
前記デバイストリガリング要求を送信したことに応答して前記センサーとの通信リンクを開始するためのメッセージを受信することをさらに備える、請求項２７に記載の方法。
【請求項３３】
マシンツーマシン通信のためのワイヤレス通信装置であって、前記装置は、
デバイストリガリング要求メッセージを生成するように構成されたプロセッサであって、前記デバイストリガリング要求メッセージが、識別子を備え、センサーと通信しているワイヤレスデバイスによって少なくとも部分的に使用されるマシンツーマシンサービスレイヤプロトコルを示す情報を備える、プロセッサと、
前記センサーと通信している前記ワイヤレスデバイスに前記デバイストリガリング要求メッセージを送信するように構成された送信機と
を備える、ワイヤレス通信装置。
【請求項３４】
識別された前記マシンツーマシンサービスレイヤプロトコルによって定義されるように前記ワイヤレスデバイスから前記デバイストリガリング要求の肯定応答を受信するように構成された受信機をさらに備える、請求項３３に記載の装置。
【請求項３５】
前記送信機が、通信プロトコルによって定義されるようにデータパケット内で前記デバイストリガリング要求メッセージを送信するように構成され、前記デバイストリガリング要求メッセージが前記データパケット中にカプセル化される、請求項３３に記載の装置。
【請求項３６】
前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、請求項３５に記載の装置。
【請求項３７】
前記デバイストリガリング要求は、前記デバイストリガリング要求メッセージが前記デバイストリガリング要求を送信するために使用される前記通信プロトコルに依存しないように、カプセル化される、請求項３５に記載の装置。
【請求項３８】
前記デバイストリガリング要求を送信したことに応答して前記センサーとの通信リンクを開始するためのメッセージを受信するように構成された受信機をさらに備える、請求項３３に記載の装置。
【請求項３９】
マシンツーマシン通信のためのワイヤレス通信装置であって、前記装置は、
デバイストリガリング要求メッセージを生成するための手段であって、前記デバイストリガリング要求メッセージが、識別子を備え、センサーと通信しているワイヤレスデバイスによって少なくとも部分的に使用されるマシンツーマシンサービスレイヤプロトコルを示す情報を備える、生成するための手段と、
前記センサーと通信している前記ワイヤレスデバイスに前記デバイストリガリング要求メッセージを送信するための手段と
を備える、ワイヤレス通信装置。
【請求項４０】
識別された前記マシンツーマシンサービスレイヤプロトコルによって定義されるように前記ワイヤレスデバイスから前記デバイストリガリング要求の肯定応答を受信するための手段をさらに備える、請求項３９に記載の装置。
【請求項４１】
前記デバイストリガリング要求メッセージを送信するための前記手段が、通信プロトコルによって定義されるようにデータパケットを送信するための手段を備え、前記デバイストリガリング要求メッセージが前記データパケット中にカプセル化され、前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、請求項３９に記載の装置。
【請求項４２】
前記デバイストリガリング要求は、前記デバイストリガリング要求メッセージが前記デバイストリガリング要求を送信するために使用される前記通信プロトコルに依存しないように、カプセル化される、請求項４１に記載の装置。
【請求項４３】
実行されたとき、装置に、マシンツーマシン通信のための方法を実行することを行わせる、命令でその上に符号化されたコンピュータ可読記憶媒体を備えるコンピュータプログラム製品であって、前記方法は、
デバイストリガリング要求メッセージを生成することであって、前記デバイストリガリング要求メッセージが、識別子を備え、センサーと通信しているワイヤレスデバイスによって少なくとも部分的に使用されるマシンツーマシンサービスレイヤプロトコルを示す情報を備える、生成することと、
前記センサーと通信している前記ワイヤレスデバイスに前記デバイストリガリング要求メッセージを送信することと
を備える、
コンピュータプログラム製品。
【請求項４４】
識別された前記マシンツーマシンサービスレイヤプロトコルによって定義されるように前記ワイヤレスデバイスから前記デバイストリガリング要求の肯定応答を受信するための手段をさらに備える、請求項４３に記載のコンピュータプログラム製品。
【請求項４５】
前記デバイストリガリング要求メッセージを送信するための前記手段が、通信プロトコルによって定義されるようにデータパケットを送信するための手段を備え、前記デバイストリガリング要求メッセージが前記データパケット中にカプセル化され、前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、請求項４３に記載のコンピュータプログラム製品。
【請求項４６】
前記デバイストリガリング要求は、前記デバイストリガリング要求メッセージが前記デバイストリガリング要求を送信するために使用される前記通信プロトコルに依存しないように、カプセル化される、請求項４５に記載のコンピュータプログラム製品。
【発明の詳細な説明】
【技術分野】
【０００１】
関連出願の相互参照および優先権主張
[0001]本出願は、その開示の全体が、すべての適用可能な目的のために以下に完全に記載されるかのように参照により本明細書に組み込まれる、２０１２年４月１６日に出願された「SYSTEMS AND METHODS FOR MACHINE TO MACHINE DEVICE TRIGGERING」と題する米国仮特許出願第６１／６２４，９７６号の米国特許法第１１９条（ｅ）項に基づく優先権および利益を主張する。
【０００２】
[0002]本出願で説明する技術は、一般に通信システムに関し、より詳細には、マシンツーマシン通信のためのトリガリング方法およびデバイスに関する。
【背景技術】
【０００３】
[0003]多くの通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定されるであろう。
【０００４】
[0004]ネットワークはまた、様々なネットワークノードとデバイスとを相互接続するために使用される交換／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００５】
[0005]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、固定ワイヤードネットワークと比較して、ユーザモビリティと迅速なフィールド展開とを有利な形で可能にする。
【０００６】
[0006]ネットワークが急増するにつれて、それに接続されるネットワーク要素のタイプも拡大する。１つのタイプのネットワーク要素はマシンツーマシン（Ｍ２Ｍ）要素である。Ｍ２Ｍ要素の例としては、スマートユーティリティメーター（「スマートメーター」）、地震計、車両、およびアプライアンスがある。Ｍ２Ｍ要素は、ユーザ機器（ＵＥ）（たとえば、スマートフォン、ＷｉＦｉ（登録商標）ルータ）を通してネットワークに接続し得る。したがって、通信システムに対する改善が、Ｍ２Ｍサービスプロバイダ（たとえば、公益事業会社）から接続されたＭ２Ｍ要素との通信など、ネットワークを介した通信を改善するために望ましいことがある。
【発明の概要】
【０００７】
[0007]説明する方法およびデバイスは、それぞれいくつかの態様を有し、それらのうちの単一の態様が単独でそれの望ましい属性を担当しない。次に、以下の特許請求の範囲によって表される本開示の範囲を限定することなしに、いくつかの特徴について手短に説明する。この説明を考察すれば、特に「発明を実施するための形態」と題するセクションを読めば、説明する特徴が、ユーザ機器にアタッチされたＭ２Ｍデバイスの識別を含む利点をどのように提供するかが理解されよう。
【０００８】
[0008]一態様では、デバイスをトリガするための方法の一実装形態が提供される。本方法は、サーバからデバイストリガリング要求メッセージを受信することを含む。デバイストリガリング要求メッセージは識別子を含む。本方法は、デバイストリガリング要求メッセージの内容と上記識別子とに基づいてマシンツーマシンサービスレイヤプロトコルを識別することをさらに含む。本方法は、上記識別子に少なくとも部分的に基づいてセンサーを識別することをさらに含む。本方法は、識別されたマシンツーマシンサービスレイヤプロトコルによって定義されるところのセンサーにメッセージを送ることをさらに含む。
【０００９】
[0009]別の態様では、マシンツーマシン通信のためのワイヤレス通信装置が提供される。本装置は、サーバからデバイストリガリング要求メッセージを受信するように構成された受信機を含む。デバイストリガリング要求メッセージは識別子を含む。本装置は、デバイストリガリング要求メッセージの内容と上記識別子とに基づいてマシンツーマシンサービスレイヤプロトコルを識別することと、上記識別子に少なくとも部分的に基づいてセンサーを識別することとを行うように構成されたプロセッサをさらに含む。本装置は、識別されたマシンツーマシンサービスレイヤプロトコルによって定義されるところのセンサーにメッセージを送るように構成された送信機をさらに含む。
【００１０】
[0010]また別の態様では、マシンツーマシン通信のためのワイヤレス通信装置が提供される。本装置は、サーバからデバイストリガリング要求メッセージを受信するための手段を含む。デバイストリガリング要求メッセージは識別子を含む。本装置は、デバイストリガリング要求メッセージの内容と上記識別子とに基づいてマシンツーマシンサービスレイヤプロトコルを識別するための手段をさらに含む。本装置は、上記識別子に少なくとも部分的に基づいてセンサーを識別するための手段をさらに含む。本装置は、識別されたマシンツーマシンサービスレイヤプロトコルによって定義されるところのセンサーにメッセージを送るための手段をさらに含む。
【００１１】
[0011]別の態様では、実行されたとき、装置に、マシンツーマシン通信のための方法を実行することを行わせる、命令でその上に符号化されたコンピュータ可読記憶媒体を含むコンピュータプログラム製品が提供される。上記方法は、サーバからデバイストリガリング要求メッセージを受信することを含む。デバイストリガリング要求メッセージは識別子を含む。上記方法は、デバイストリガリング要求メッセージの内容と上記識別子とに基づいてマシンツーマシンサービスレイヤプロトコルを識別することをさらに含む。上記方法は、上記識別子に少なくとも部分的に基づいてセンサーを識別することをさらに含む。上記方法は、識別されたマシンツーマシンサービスレイヤプロトコルによって定義されるところのセンサーにメッセージを送ることをさらに含む。
【００１２】
[0012]別の態様では、マシンツーマシン通信のための方法の一実装形態が提供される。本方法は、デバイストリガリング要求メッセージを生成することを含む。デバイストリガリング要求メッセージは、識別子を含み、センサーと通信しているワイヤレスデバイスによって少なくとも部分的に使用されるマシンツーマシンサービスレイヤプロトコルを示す情報を含む。本方法は、センサーと通信しているワイヤレスデバイスにデバイストリガリング要求メッセージを送信することをさらに含む。
【００１３】
[0013]別の態様では、マシンツーマシン通信のためのワイヤレス通信装置が提供される。本装置は、デバイストリガリング要求メッセージを生成するように構成されたプロセッサを含む。デバイストリガリング要求メッセージは、識別子を含み、センサーと通信しているワイヤレスデバイスによって少なくとも部分的に使用されるマシンツーマシンサービスレイヤプロトコルを示す情報を含む。本装置は、センサーと通信しているワイヤレスデバイスにデバイストリガリング要求メッセージを送信するように構成された送信機をさらに含む。
【００１４】
[0014]別の態様では、マシンツーマシン通信のためのワイヤレス通信装置が提供される。本装置は、デバイストリガリング要求メッセージを生成するための手段を含む。デバイストリガリング要求メッセージは、識別子を含み、センサーと通信しているワイヤレスデバイスによって少なくとも部分的に使用されるマシンツーマシンサービスレイヤプロトコルを示す情報を含む。本装置は、センサーと通信しているワイヤレスデバイスにデバイストリガリング要求メッセージを送信するための手段をさらに含む。
【００１５】
[0015]別の態様では、実行されたとき、装置に、マシンツーマシン通信のための方法を実行することを行わせる、命令でその上に符号化されたコンピュータ可読記憶媒体を含むコンピュータプログラム製品が提供される。上記方法は、デバイストリガリング要求メッセージを生成することを含む。デバイストリガリング要求メッセージは、識別子を含み、センサーと通信しているワイヤレスデバイスによって少なくとも部分的に使用されるマシンツーマシンサービスレイヤプロトコルを示す情報を含む。上記方法は、センサーと通信しているワイヤレスデバイスにデバイストリガリング要求メッセージを送信することをさらに含む。
【００１６】
[0016]本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１７】
【図１】[0017]いくつかの実施形態による例示的なワイヤレス通信システムを示す図。
【図２】[0018]いくつかの実施形態による、図１の通信システム内で採用され得る例示的なデバイスの機能ブロック図。
【図３】[0019]いくつかの実施形態による、マシンツーマシンワイヤレス通信のための例示的なシステムの機能ブロック図。
【図４】[0020]いくつかの実施形態による、マシンツーマシンデバイストリガリングのためのプロトコルにおいて使用するメッセージインターフェースの図。
【図５】[0021]いくつかの実施形態による、マシンツーマシンデバイストリガリングのための例示的なコールフローのコールフロー図。
【図６】[0022]いくつかの実施形態による、マシンツーマシンデバイストリガリングのための別の例示的なコールフローのコールフロー図。
【図７】[0023]いくつかの実施形態による、マシンツーマシンデバイストリガリングのための例示的な方法のフローチャート。
【図８】[0024]いくつかの実施形態による、ブロードキャストマシンツーマシンデバイストリガリングのための例示的なコールフローのコールフロー図。
【図９】[0025]いくつかの実施形態による、ブロードキャストマシンツーマシンデバイストリガリングのための別の例示的なコールフローのコールフロー図。
【図１０】[0026]いくつかの実施形態による、デバイスをトリガするための例示的な方法のフローチャート。
【図１１】[0027]いくつかの実施形態による、図１の通信システム内で採用され得る別の例示的なデバイスの機能ブロック図。
【図１２】[0028]いくつかの実施形態による、デバイスをトリガするための例示的な方法のフローチャート。
【図１３】[0029]いくつかの実施形態による、図１の通信システム内で採用され得る別の例示的なデバイスの機能ブロック図。
【図１４】[0030]いくつかの実施形態による、デバイスをトリガするための例示的な方法のフローチャート。
【図１５】[0031]いくつかの実施形態による、図１の通信システム内で採用され得る別の例示的なデバイスの機能ブロック図。
【図１６】[0032]いくつかの実施形態による、デバイスをトリガするための例示的な方法のフローチャート。
【図１７】[0033]いくつかの実施形態による、図１の通信システム内で採用され得る別の例示的なデバイスの機能ブロック図。
【発明を実施するための形態】
【００１８】
[0034]慣例により、図面に示す様々な特徴は一定の縮尺で描かれていないことがある。したがって、様々な特徴の寸法は、明快のために恣意的に拡大または縮小されていることがある。さらに、図面のいくつかは、所与のシステム、方法、またはデバイスの構成要素のすべてを示しているとは限らない。明細書および図の全体にわたって同様の特徴を示すために同様の参照番号が使用されることがある。
【００１９】
[0035]添付の図面を参照しながら、新規の装置および方法の様々な態様について以下でより十分に説明する。ただし、本開示の教示は、多くの異なる形態で実装され得るものであり、本開示全体にわたって提示する任意の特定の構造または機能に限定されるものと解釈されるべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わされるにせよ、本明細書で開示する新規の装置および方法のいかなる態様をもカバーするものであることを、当業者なら諒解されたい。たとえば、本明細書に記載の態様をいくつ使用しても、装置は実装され得、または方法は実施され得る。さらに、説明の範囲は、本明細書に記載の様々な態様に加えてまたはそれらの態様以外に、他の構造、機能、または構造および機能を使用して実施されるそのような装置または方法をカバーするものとする。本明細書で開示する任意の態様が請求項の１つまたは複数の要素によって実装され得ることを理解されたい。「例示的」という単語は、本明細書では「例、事例、または例示の働きをすること」を意味するために使用する。本明細書で「例示的」と記載されたいかなる実施形態も、必ずしも他の実施形態よりも好ましいまたは有利であると解釈されるべきであるとは限らない。
【００２０】
[0036]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々な通信技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００２１】
[0037]普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ワイヤレスプロトコルなど、通信規格に適用され得る。たとえば、本明細書で説明する様々な態様は、Ｚｉｇｂｅｅ（登録商標）、ＷｉＦｉ、ＨｏｍｅＰｌｕｇ、Ｂｌｕｅｔｏｏｔｈ（登録商標）、Ｚｗａｖｅ、セルラー、または他の無線通信を使用し得る。
【００２２】
[0038]いくつかの実施形態では、通信ネットワークは、そのネットワークにアクセスする構成要素である様々なデバイスを含む。たとえば、２つのタイプのデバイスであるアクセスポイント（「ＡＰ」）およびクライアント（局、または「ＳＴＡ」とも呼ばれる）があり得る。概して、ＡＰは通信ネットワークのためのハブまたは基地局として働き、ＳＴＡは通信ネットワークのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るためにＷｉＦｉ（たとえば、８０２．１１ａｈなどのＩＥＥＥ８０２．１１プロトコル）準拠ワイヤレスリンクを介してＡＰに接続する。
【００２３】
[0039]また、アクセスポイント（「ＡＰ」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、ルータ、トランシーバ、ハブ、または何らかの他の用語を備えるか、それらのいずれかとして実装されるか、あるいはそれらのいずれかとして知られていることがある。
【００２４】
[0040]また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実施形態では、アクセス端末は、セルラー電話、電話、セッション開始プロトコル（「ＳＩＰ」）フォン、ワイヤレスローカルループ（「ＷＬＬ」）局、携帯情報端末（「ＰＤＡ」）、ハンドヘルドデバイス、またはモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、アプライアンス、発電／送電機器、監視機器（たとえば、地震計、煙検出器、ガイガーカウンター、カメラ）、スマートメーター、自動販売機、あるいは、マシンツーマシン方式でワイヤレスまたはワイヤード媒体を介して通信するように構成された他の好適なデバイスに組み込まれ得る。
【００２５】
[0041]いくつかのデバイスは、スマートグリッドネットワークにおいて、またはスマートアプライアンス（たとえば、送信または検出された信号に応答して構成可能なアプライアンス）において、スマートメータリングのために使用され得る。そのようなデバイスは、センサー適用例を与えるか、またはホームオートメーションにおいて使用され得る。それらのデバイスは、代わりにまたはさらに、ヘルスケアコンテキストにおいて、たとえばパーソナルヘルスケアのために使用され得る。それらのデバイスはまた、（たとえば、ホットスポットとともに使用する）拡張された範囲のインターネット接続性を可能にするために、またはマシンツーマシン通信を実装するために、監視のために使用され得る。
【００２６】
[0042]ネットワークと通信するより前に、ＳＴＡが概してネットワークに登録する。登録は、電源投入時に、ゾーンに基づいて、時間に基づいて（たとえば、周期的）行われ、またはパラメータベースであり得る。たとえば、ｃｄｍａ２０００  １ｘシステムでは、ＳＴＡが到達され得ることを保証するために周期登録システムが使用される。いくつかの実施形態では、ＡＰが登録期間を送信する（たとえば、ブロードキャストする）。ＳＴＡが、登録期間中に、確立されたトラフィックチャネル、または他のタイプの登録（たとえば、シグナリング）を有しない場合、ＳＴＡは、ネットワーク上での存在を維持するために登録期間中に少なくとも１回登録を送信するように構成される。この形態の登録は、ＥＶＤＯ、ＵＭＴＳ、ＬＴＥ、ＨＲＰＤ、およびＰＰＰシステム中にも含まれ得る。
【００２７】
[0043]いくつかの実施形態では、第１のＳＴＡが他のＳＴＡにサービスを提供し得る。たとえば、ウェブサイトがサービス提供ＳＴＡと見なされ得、そこにおいて、ウェブサイトをホストするサーバがサービス提供ＳＴＡであり得る。ウェブサイトにアクセスするスマートフォンが上記他のＳＴＡと見なされ得る。スマートフォンとウェブサイトＳＴＡは、１つまたは複数のＡＰを通して通信し得る。スマートフォンと接続されたＡＰは、スマートフォンと、それに関連付けられた何らかの通信とを識別する。その識別は登録プロトコルを通して達成され得る。同様のプロシージャが、ウェブサイトをホストするサーバを接続するために使用され得る。この例によって、ＡＰのネットワークは、ネットワーク事業者の権限下にあると見なされ得る。ネットワーク事業者は、それに対して識別されたデバイスを、たとえば、ネットワークトラフィック（たとえば、レイテンシ、優先度、帯域幅）を成形すること、または一定のトラフィック（たとえば、パケットレベル、ソース、宛先、ポートなど）をブロックすることによって、制御し得る。
【００２８】
[0044]上記で説明したように、ネットワーク化技術およびネットワーク対応デバイスが、より普及しつつある。いくつかの事例では、デバイスが、ケーブルモデムまたはモバイルホットスポットなど、ローカルホストを通してネットワークプロバイダによって与えられるネットワークにアクセスし得る。この状況では、ケーブルモデムまたはモバイルホットスポットは、ネットワークサービスへのアクセスを獲得するために、それ自体をネットワーク事業者に対して識別するように構成され得る。ただし、接続されると、ケーブルモデムまたはモバイルホットスポットと結合された様々なデバイスがネットワークサービスを使用し得る。
【００２９】
[0045]本明細書で説明するシステムおよび方法の１つの利点は、事業者のネットワークにアクセスするこれらのデバイスを、モバイルホットスポットなどのデバイスを通して識別し、制御する能力をネットワーク事業者に与えることである。ネットワークにアタッチされたユーザ機器（たとえば、モバイルホットスポット）だけでなく、そのユーザ機器にアタッチされたデバイスをも識別することによって、トラフィックは、より細かく制御され得る。たとえば、マシンツーマシン（Ｍ２Ｍ）コンテキストでは、Ｍ２Ｍ対応火災検出器に、たとえば、Ｍ２Ｍデータ収集デバイス（たとえば、温度計）よりも、高い優先度を与えることが望ましいことがある。上記識別は、ネットワーク事業者が様々なデバイスのためのサブスクリプションレベルを調整することをも可能にする。
【００３０】
[0046]ここで説明するシステムおよび方法の第２の利点は、ネットワーク事業者がユーザ機器（ＵＥ）に接続されたデバイスの位置を特定することを可能にすることである。モビリティコンテキストでは、ユーザ機器はセルラーネットワーク上で動作し得る。ユーザ機器はモバイルであり得る。サービスプロバイダが、ユーザ機器にアタッチされたデバイスに信号（たとえば、トリガ）を送ることを望む場合、ネットワークは、ＵＥならびにそのデバイスのロケーションを識別するように構成され得る。
【００３１】
[0047]図１に、いくつかの実施形態による、例示的なワイヤレス通信システムを示す。通信システム１００はワイヤレス規格に従って動作し得る。通信システム１００は、コンピュータ１０６ｃ、サービスプロバイダサーバ１０６ｂ、自動販売機などのマシンツーマシンデバイス１０６ａ、スマートユーティリティメーターまたはスマートメーターなどのマシンツーマシンデバイス１０６ｅ、および（ローカルホストとも呼ばれる）ローカルアクセスポイント１０６ｄ（以下で個々にまたはまとめて１０６によって識別される）などのＳＴＡと通信する、ＡＰ１０４を含み得る。各ＳＴＡ１０６は、識別子を含むように構成され得る。たとえば、ローカルアクセスポイント１０６ｄはローカルホスト識別子を含み得る。ローカルホスト識別子は、ローカルアクセスポイント１０６ｄを識別するために使用され得る。いくつかの実施形態では、ローカルホスト識別子はローカルアクセスポイント１０６ｄを一意に識別し得る。いくつかの実施形態では、ローカルホスト識別子は、ローカルアクセスポイント１０６ｄを一意に識別するために他の情報（たとえば、ネットワーク事業者）とともに使用され得る。ローカルホスト識別子は、国際モビリティ機器識別情報または国際モビリティ加入者識別情報を含み得る。
【００３２】
[0048]ローカルアクセスポイント１０６ｄは、スマートユーティリティメーターまたはスマートメーターなどの１つまたは複数のマシンツーマシンデバイス１１２ａ、１１２ｂ、および１１２ｃ（以下でまとめてまたは個々に１１２によって識別される）と通信するようにさらに構成され得る。いくつかの実施形態では、マシンツーマシンデバイス１１２はマシンツーマシンサービスプロバイダ（たとえば、公益事業会社）に関連付けられ得る。各マシンツーマシンデバイス１１２は、デバイス識別子を含むように構成され得る。デバイス識別子は、マシンツーマシンデバイス１１２を識別するために使用され得る。いくつかの実施形態では、デバイス識別子はマシンツーマシンデバイス１１２を一意に識別し得る。いくつかの実施形態では、デバイス識別子は、マシンツーマシンデバイス１１２を一意に識別するために他の情報（たとえば、ネットワーク事業者、マシンツーマシンサービスプロバイダ）とともに使用され得る。
【００３３】
[0049]様々なプロセスおよび方法が、ＡＰ１０４とＳＴＡ１０６との間の、通信システム１００における送信のために使用され得る。たとえば、信号は、ＯＦＤＭ／ＯＦＤＭＡ技法に従って、ＡＰ１０４とＳＴＡ１０６との間で送信および受信され得る。この場合、通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、通信システム１００はＣＤＭＡシステムと呼ばれることがある。いくつかの実施形態では、ＡＰ１０４とＳＴＡ１０６との間の信号は、イーサネット、光、ケーブル、電話、電力線、およびファクシミリ接続など、ワイヤード接続を介して送られ得る。
【００３４】
[0050]ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００３５】
[0051]ＡＰ１０４は、基本サービスエリア（ＢＳＡ）１０２において通信カバレージを与え得る。ＡＰ１０４は、ＡＰ１０４に関連付けられ、また通信のためにＡＰ１０４を使用するように構成された、ＳＴＡ１０６とともに、基本サービスセット（ＢＳＳ）と呼ばれることがある。通信システム１００は、中央ＡＰ１０４を有しないことがあり、むしろ、ＳＴＡ１０６間のピアツーピアネットワークとして機能し得ることに留意されたい。したがって、本明細書で説明するＡＰ１０４の機能はＳＴＡ１０６によって代替的に実行され得る。たとえば、いくつかの実施形態では、１つまたは複数のＳＴＡ１０６はＢＳＡ１０２の外側に位置し得る。
【００３６】
[0052]図１に示すシステム１００では、マシンツーマシンデバイス１０６ａとは異なり、マシンツーマシンデバイス１１２ａ、１１２ｂ、および１１２ｃは、ＡＰ１０４との通信を開始することが可能でないことがある。同様に、ＡＰ１０４は、どのデバイスがローカルホスト１０６ｄにローカルに接続されているかを識別することが可能でないことがある。たとえば、ＡＰ１０４は、需要応答信号など、サービスプロバイダサーバ１０６ｂからの通信を受信し得る。この通信は特定のスマートメーター１１２ａをターゲットにし得る。したがって、いくつかの実施形態では、ＡＰ１０４が特定のスマートメーター１１２ａを識別し得るように、特定のスマートメーター１１２ａを登録することが望ましいことがある。この登録プロセスについて以下でさらに詳細に説明する。
【００３７】
[0053]別の例では、マシンツーマシンデバイス１０６ｅは、自動車中に含まれる自動車監視デバイスであり得る。このタイプのマシンツーマシンデバイス１０６ｅは、自動車中のセルラーデバイスを介して通信するように構成され得る。しかしながら、マシンツーマシンデバイス１０６ｅは、データ送信間で同じＢＳＡ１０２中に位置しないことがある。この例では、マシンツーマシンデバイス１０６ｅと通信するための１つの方法は、最初にセルラーデバイスの位置を特定することである。したがって、いくつかの実施形態では、モビリティ設定において特定のマシンツーマシンデバイス１０６ｅの位置を特定するようにＡＰ１０４を構成することが望ましいことがある。これは、サービスプロバイダサーバ１０６ｂがデバイス１０６ｅをトリガすることを可能にし得る。たとえば、自動車製造業者がサービスプロバイダであり得る。この例によって、サービスプロバイダサーバ１０６ｂは、さらなる処理（たとえば、整備リマインダを生成すること、トラブルシューティング、品質保証など）のために自動車監視デバイスから診断情報を取り出すように構成され得る。
【００３８】
[0054]ローカルホスト１０６ｄとマシンツーマシンデバイス１１２との間の通信はローカル通信プロトコルであり得る。その通信は、マシンツーマシンデバイス１１２とローカルホスト１０６ｄとの間のワイヤードリンク（たとえば、イーサネット、電力線、電話ケーブル、同軸ケーブル）を備え得る。その通信は、Ｐｅａｎｕｔ、Ｚｉｇｂｅｅ、ＷｉＦｉ、Ｂｌｕｅｔｏｏｔｈなどのワイヤレスリンクを備え得る。様々なマシンツーマシンデバイス１１２と通信するために複数の通信方法が使用され得ることを理解されたい。さらに、図１ではすべてのマシンツーマシンデバイス１１２がスマートメーターとして示されているが、タイプのマシンツーマシンデバイスが同じローカルホスト１０６ｄを通して接続され得ることを諒解されよう（たとえば、スマートメーター、煙警報器、自動販売機など）。
【００３９】
[0055]図２に、図１の通信システム内で採用され得る例示的なデバイスの機能ブロック図を示す。デバイス２０２は、本明細書で説明する様々な方法を実装するように構成され得るデバイスの一例である。たとえば、デバイス２０２は、ＡＰ１０４、ＳＴＡ１０６のうちの１つ、またはマシンツーマシンデバイス１０６ｅを備え得る。
【００４０】
[0056]デバイス２０２は、デバイス２０２の動作を制御する（１つまたは複数の）プロセッサユニット２０４を含み得る。（１つまたは複数の）プロセッサユニット２０４のうちの１つまたは複数は中央処理ユニット（ＣＰＵ）と総称されることがある。読取り専用メモリ（ＲＯＭ）とランダムアクセスメモリ（ＲＡＭ）の両方を含み得るメモリ２０６は、命令とデータとをプロセッサユニット２０４に与える。メモリ２０６の一部分は不揮発性ランダムアクセスメモリ（ＮＶＲＡＭ）をも含み得る。（１つまたは複数の）プロセッサユニット２０４は、メモリ２０６内に記憶されたプログラム命令に基づいて論理演算と算術演算とを実行するように構成され得る。メモリ２０６中の命令は、本明細書で説明する方法を実装するように実行可能であり得る。
【００４１】
[0057]デバイス２０２が送信ノードとして実装または使用されるとき、（１つまたは複数の）プロセッサユニット２０４は、複数のパケットフォーマットのうちの１つを選択することと、そのフォーマットを有するパケットを生成することとを行うように構成され得る。たとえば、（１つまたは複数の）プロセッサユニット２０４は、データパケットを生成するように構成され得る。デバイス２０２が受信ノードとして実装または使用されるとき、（１つまたは複数の）プロセッサユニット２０４は、受信されたパケットを処理するように構成され得る。（１つまたは複数の）プロセッサユニット２０４は、１つまたは複数のＳＴＡ１０６またはマシンツーマシンデバイス１１２への送信のためのパケットを生成する。パケットは、ＡＰ１０４とＳＴＡ１０６／マシンツーマシンデバイス１１２との間で交換されているデータを表す一連のデータビットを備える。
【００４２】
[0058]（１つまたは複数の）プロセッサユニット２０４は、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。（１つまたは複数の）プロセッサユニット２０４がＤＳＰを備える実施形態では、ＤＳＰは、送信のためのパケットを生成するように構成され得る。いくつかの態様では、パケットは物理レイヤデータユニット（ＰＬＤＵ）を備え得る。
【００４３】
[0059]デバイス２０２は、ソフトウェアを記憶するための機械可読媒体をも含み得る。（１つまたは複数の）プロセッサユニット２０４は、ソフトウェアを記憶するための１つまたは複数の機械可読媒体を備え得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、（１つまたは複数の）プロセッサユニット２０４によって実行されたとき、デバイス２０２に、本明細書で説明する様々な機能を実行することを行わせる。
【００４４】
[0060]デバイス２０２は、デバイス２０２と遠隔ロケーションとの間のデータの、それぞれ送信および受信を可能にするための送信機２１０および／または受信機２１２を含み得る。送信機２１０と受信機２１２とは組み合わされてトランシーバ２１４になり得る。アンテナ２１６はトランシーバ２１４と電気的に結合され得る。デバイス２０２は、複数の送信機、複数の受信機、複数のトランシーバ、および／または複数のアンテナをも含み得る（図示せず）。
【００４５】
[0061]送信機２１０は、パケットおよび／または信号をワイヤレス送信するように構成され得る。たとえば、送信機２１０は、上記で説明した、（１つまたは複数の）プロセッサユニット２０４によって生成された異なるタイプのパケットを送信するように構成され得る。パケットは送信機２１０にとって利用可能にされる。たとえば、（１つまたは複数の）プロセッサユニット２０４は、メモリ２０６にパケットを記憶し得、送信機２１０は、パケットを取り出すように構成され得る。送信機２１０がパケットを取り出すと、送信機２１０は、パケットをアンテナ２１６を介してデバイス２０２に送信する。
【００４６】
[0062]デバイス２０２上のアンテナ２１６は送信されたパケット／信号を検出し得る。受信機２１２は、検出されたパケット／信号を処理し、それらを（１つまたは複数の）プロセッサユニット２０４にとって利用可能にするように構成され得る。たとえば、受信機２１２は、メモリ２０６にパケットを記憶し得、（１つまたは複数の）プロセッサユニット２０４は、パケットを取り出すように構成され得る。
【００４７】
[0063]デバイス２０２は、トランシーバ２１４によって受信された信号のレベルを検出し、定量化するために使用され得る、信号検出器２１８をも含み得る。信号検出器２１８は、そのような信号を、総エネルギー、シンボルごとのサブキャリア当たりのエネルギー、電力スペクトル密度、および他の信号として検出し得る。
【００４８】
[0064]いくつかの態様では、デバイス２０２はユーザインターフェース２２２をさらに備え得る。ユーザインターフェース２２２は、キーパッド、マイクロフォン、スピーカー、および／またはディスプレイを備え得る。ユーザインターフェース２２２は、デバイス２０２のユーザに情報を伝達し、および／またはユーザからの入力を受信する、任意の要素または構成要素を含み得る。デバイス２０２は、デバイス２０２中に含まれる構成要素のうちの１つまたは複数を囲むハウジング２０８をも含み得る。
【００４９】
[0065]デバイス２０２は割当て回路２２８をも含み得る。たとえば、割当て回路２２８は、ローカルアクセスポイント１０６として実装されるデバイス２０２中に含まれ得る。割当て回路２２８は、デバイス識別子の各々にデバイス接続識別子を割り当てるように構成され得、デバイス接続識別子は、ローカルアクセスポイント１０６に関連付けられたローカルホスト識別子の少なくとも一部分を含む。たとえば、デバイス２０２が、イーサネットを介してマシンツーマシンデバイス１１２と通信するように構成されたとき、割当て回路２２８は、マシンツーマシンデバイス１１２との接続を示す信号を受信し得る。デバイス接続識別子は、複合識別子（たとえば、デバイス識別子（たとえば、ＩＩＤ、ＭＡＣ−ＩＤ）と接続識別子（たとえば、ポート））であり得る。割当て回路２２８は、（たとえば、メモリ２０６において）ＡＰ１０４との通信バインディングのリストを維持し得る。割当て回路２２８は、次いで、マシンツーマシンデバイス１１２のために構成されるべき、維持されたリストからの未使用通信バインディングを識別し得る。割当て回路２２８は、次いで、イーサネット接続と未使用通信バインディングとの間の通信経路を構成し得る。この通信経路は、次いで、デバイス識別子を使用してマシンツーマシンデバイス１１２に関連付けられ得る。デバイス２０２は、デバイス接続識別子の使用によってバインディング全体を参照し得る。
【００５０】
[0066]割当て回路２２８は、ＡＰ１０４にデバイス接続識別子を与え得る。たとえば、割当て回路２２８は、メモリ２０６にデバイス接続識別子を記憶し得る。送信機２１０は、デバイス接続識別子を取得し、これをＡＰ１０４に送信し得る。いくつかの実施形態では、送信機２１０は、マシンツーマシンデバイス１１２から送信されたデータパケットを識別することと、デバイス２０２を通してマシンツーマシンデバイス１１６から送信されたパケット上でデバイス接続識別子を組み込むこととを行うように構成され得る。したがって、ＡＰ１０４は、特定のパケットが特定のＳＴＡによって送信されたことだけでなく、特定のパケットが、そのＳＴＡに接続された特定のデバイスによって送信されたことをも識別することができる。
【００５１】
[0067]デバイス２０２はサービス品質回路２３２をも含み得る。サービス品質回路２３２は、ＳＴＡ１０６、ＡＰ１０４、またはマシンツーマシンデバイス１１２中に含まれ得る。ローカルアクセスポイント１０６ｄは、２つのレベルのサービス品質を実行すること、すなわち、各接続されたマシンツーマシンデバイス１１２間でサービス品質を維持すること、ならびにＡＰ１０４とのサービス品質を維持することを行うように構成された、サービス品質回路２３２を含み得る。
【００５２】
[0068]サービス品質回路２３２は、提供されたまたは受けられたサービスの品質に影響を及ぼす様々な動作属性を維持するように構成され得る。送信機２１０および／または受信機は、データがどのように送信または受信されるかを制御するためにサービス品質回路２３２と通信するように構成され得る。たとえば、サービス品質回路２３２は、特定の通信フローのための最大帯域幅を識別するように構成され得る。サービス品質情報がメモリ１０４に記憶され得る。サービス品質情報は、サービスプロバイダサーバ１０６ｂなど、サービスを提供するデバイスから受信され得る。いくつかの実施形態では、サービス品質回路２３２は、たとえばマシンツーマシンデバイス１１２のデバイスクラスに基づいて、サービス品質情報を導出するように構成され得る。たとえば、データ報告デバイスなど、低い優先度クラスにあるデバイスは、ビジー期間（busy period）中により低いサービス品質を割り当てられ得る。逆に、煙検出器など、高い優先度クラスにあるデバイスは、警報が適時に発せられることを保証するために、より高いサービス品質を割り当てられ得る。さらなる実施形態では、サービス品質回路２３２は、サービス品質を別のデバイスとネゴシエートするように構成され得る（たとえば、ローカルアクセスポイント１０６ｄとネゴシエートするマシンツーマシンデバイス１１２、ＡＰ１０４とネゴシエートするＳＴＡ１０６）。
【００５３】
[0069]いくつかの実施形態では、サービス品質は、タプルを使用して指定され得る。サービス品質タプルはデバイス接続識別子を含み得る。いくつかの実施形態では、ＲＳＶＰタプルが、サービス品質情報を指定するために使用され得る。
【００５４】
[0070]デバイス２０２は登録回路２３４をも含み得る。登録回路２３４は、デバイス２０２がサービスにアクセスすることを可能にするように構成され得る。たとえば、デバイス２０２がローカルアクセスポイント１０６ｄとして構成されたとき、ローカルアクセスポイント１０６ｄは、ＡＰ１０４との通信リンクを確立することの一部としてＡＰ１０４にローカルアクセスポイント１０６ｄのローカルホスト識別子を与え得る。いくつかの実施形態では、ローカルホスト識別子は、デバイスのためのマシンツーマシンデバイスバインディングを識別するためにＡＰ１０４によって使用され得る。たとえば、スマートメーターシステムを展開するとき、何個のメーター１１２が所与のローカルアクセスポイント１０６ｄにアタッチされることになるかがアプリオリに知られていることがある。したがって、この実施形態では、ローカルアクセスポイント１０６ｄは、それの識別子をＡＰ１０４に与え得、ＡＰ１０４は、デバイスのための適切な通信バインディングを判断し得る。たとえば、ＡＰ１０４は、識別されたアドレスにアタッチされたメーターの数を判断するために、サービスプロバイダによって維持されるデータストレージに問い合わせ得る。他の実施形態では、ＡＰ１０４は、ローカルアクセスポイント１０６ｄごとに所定の数のバインディングを与えるように構成され得る。この実施形態では、ＡＰ１０４は、ローカルホスト識別子のサブスクリプションレジストリを調べ、ローカルアクセスポイント１０６ｄのためのサブスクリプションに基づいて所定の数のバインディングを与え得る。同様の技法が、サービス品質回路２３２にサービス品質情報を与えるためにも使用され得る。
【００５５】
[0071]デバイスはロケータ回路２３６をさらに含み得る。たとえば、デバイス２０２をＡＰ１０４として展開するとき、ロケータ回路２３６は、ローカルホストのためのロケーションを識別するように構成され得る。そのロケーションは、ローカルホスト識別子と、ローカルホストにアタッチされたマシンツーマシンデバイス１１２のためのデバイス識別子とのうちの１つまたは複数に少なくとも部分的に基づいて識別され得る。たとえば、上記で説明したモビリティの例では、マシンツーマシンデバイス１１２をトリガすることが望ましいことがある。しかしながら、マシンツーマシンデバイス１１２がモバイルである場合、マシンツーマシンデバイス１１２に関連付けられたＳＴＡ１０６のロケーションは変化し得る。ロケータ回路２３６は、ＳＴＡ１０６のロケーション（たとえば、自宅、モバイル）を記憶し得る。ローカルホスト識別子および／またはデバイス識別子を使用して、ロケーション回路２３６は、ＳＴＡ１０６のロケーションを識別するように構成され得る（たとえば、問い合わせる）。
【００５６】
[0072]デバイスは暗号化回路２３８をも含み得る。暗号化回路２３８は、デバイス２０２から送信された情報を保護するように構成され得る。たとえば、デバイス識別子は、デバイス２０２によって署名された完全性であり得る。これは、無許可のマシンツーマシンデバイスが正当なマシンツーマシンデバイス１１２として「スプーフィング」するのを防ぐことができる。暗号化回路２３８は、公開または秘密暗号化鍵、デジタル証明書、同期値、乱数発生器などを維持するための鍵ストアを含み得る。送信機２１２は、暗号化のために送信より前に暗号化回路２３８にデータを与えるように構成され得る。データが暗号化されると、暗号化回路２３８は、受信デバイスが、送信されるべき暗号化に関する情報を解読することを可能にするために、送信機２１２にその情報を与えるように構成され得る。暗号化回路２３８はまた、受信信号について、上記のことを反転させることによって情報を解読するように構成され得る。
【００５７】
[0073]デバイスはバインディングマネージャ２４０をも含み得る。バインディングマネージャ２４０は、ローカルアクセスポイント１０６ｄとしてまたはＡＰ１０４として実装されるとき、デバイス２０２中に含まれ得る。バインディングマネージャ２０４は、複数のデバイスのためのバインディング情報を受信するように構成され得る。いくつかの実施形態では、バインディングマネージャ２０４は、ローカルアクセスポイント１０６ｄのためのローカルホスト識別子に少なくとも部分的に基づいて、１つまたは複数のマシンツーマシンデバイス１１２の各々についてバインディング情報を判断するように構成され得る。たとえば、ＡＰ１０４がローカルアクセスポイント１０６ｄに所定のバインディング割当てを与える実施形態では、バインディングマネージャ２４０は、バインディング割当てを処理するように構成され得る。一実施形態では、バインディングマネージャ２４０は、メモリを含むか、またはメモリ２４０と通信するように構成される。
【００５８】
[0074]デバイスは回路呼マネージャ２４２をも含み得る。回路呼マネージャ２４２は、ＡＰ１０４として実装されるデバイス中に含まれ得る。たとえば、サービスプロバイダがマシンツーマシンデバイス１１２のためにＡＰ１０４にメッセージを送信する実施形態では、回路呼マネージャ２４２は、ローカルホストへの回路呼を開始するように構成され得る。回路呼マネージャ２４２は、マシンツーマシンデバイス１１２へのトリガの適切なルーティングを可能にするためにトリガされるべきデバイスを識別する情報を含むことを含み得る。いくつかの実施形態では、回路呼マネージャ２４２は、回路呼などのｃｄｍａ２０００  １ｘ回路通信、およびショートメッセージ配信ポイントツーポイント（ＳＭＤＰＰ：short message delivery point-to-point）シグナリングを管理するように構成され得る。
【００５９】
[0075]デバイス２０２の様々な構成要素は、バスシステム２２６によって互いに結合され得る。バスシステム２２６は、たとえば、データバスを含み得、ならびに、データバスに加えて、電力バス、制御信号バス、およびステータス信号バスを含み得る。デバイス２０２の構成要素は、何らかの他の機構を使用して、互いに結合されるか、あるいは互いに入力を受け付けるかまたは与え得ることを当業者は諒解されよう。
【００６０】
[0076]図２には、いくつかの別個の構成要素が示されているが、構成要素のうちの１つまたは複数が組み合わされ得るかまたは共通に実装され得ることを当業者は認識されよう。たとえば、（１つまたは複数の）プロセッサユニット２０４は、（１つまたは複数の）プロセッサユニット２０４に関して上記で説明した機能を実装するためだけでなく、信号検出器２１８に関して上記で説明した機能を実装するためにも使用され得る。さらに、図２に示す構成要素の各々は、複数の別個の要素を使用して実装され得る。
【００６１】
[0077]図３に、マシンツーマシンワイヤレス通信のための例示的なシステムの機能ブロック図を示す。システム３００はユーザ機器（ＵＥ）デバイス３０２を含む。いくつかの実施形態では、ユーザ機器デバイス３０２は、図１のローカルアクセスポイント１０６ｄなどのローカルアクセスポイントとして実装され得る。ユーザ機器３０２はマシンツーマシンアプリケーション（Ｍ２Ｍアプリ）３０４を含む。このマシンツーマシンアプリケーション３０４は、マシンツーマシンアプリケーション３２８ａまたは３２８ｂと通信するように構成され得る。以下で、ＵＥ３２０はＭ２Ｍユーザ機器（ＵＥ）デバイス３０２と呼ばれることがある。Ｍ２Ｍ  ＵＥデバイス３０２は２つ以上のマシンツーマシンアプリケーション３０４を含み得る。
【００６２】
[0078]Ｍ２Ｍアプリケーション３０４がＭ２Ｍ  ＵＥデバイス３０２においてアクティブにされるとき、Ｍ２Ｍアプリケーションは、ユーザ機器３０２にアタッチすべき登録情報を与え得る。登録情報は、Ｍ２Ｍアプリケーション３０４に関連付けられたデバイスクラスおよびデバイス識別子のうちの１つまたは複数を含み得る。たとえば、デバイス識別子は、メディアアクセス制御（ＭＡＣ）識別子、またはサービスプロバイダ一意識別子を含み得る。
【００６３】
[0079]ユーザ機器３０２は、無線アクセスネットワーク（ＲＡＮ）３１０と結合するように構成され得る。無線アクセスネットワーク３１０は、ＬＴＥ、ｃｄｍａ２０００、１ｘ、または他の無線アクセス技術を実装し得る。上記結合の一部として、ユーザ機器３０２は、ＲＡＮ３１０にローカルホスト識別子を送信するよう構成され得、これは、ユーザ機器３０２にトラフィックをルーティングするために使用され得る。
【００６４】
[0080]ＵＥ３０２が、図１に示したようにローカルホスト１０６ｄとして実装される場合、ユーザ機器３０２は、ユーザ機器３０２と接続された各マシンツーマシンデバイス１１２（図１）にデバイス接続識別子を割り当てるようにさらに構成され得る。いくつかの実施形態では、その割当てはマシンツーマシンアプリケーションレベルにおいて実行され得る。ＵＥ３０２中のマシンツーマシンゲートウェイ（図示せず）が、マシンツーマシンデバイス１１２（図１）にデータを送り、マシンツーマシンデバイス１１２からデータを受信するために、この割当て情報を使用し得る。たとえば、マシンツーマシンゲートウェイは、パケットがＲＡＮ３１０への送信より前にデバイス接続情報を含むことを保証し得る。受信端では、パケットがＲＡＮ３１０から受信されるとき、パケットに関連付けられたデバイス接続識別子を取得するためにパケットの一部分（たとえば、ヘッダフィールド）が調べられ得る。マシンツーマシンゲートウェイは、次いで、適切なマシンツーマシンデバイス１１２（図１）にパケットをルーティングするために、このデバイス識別子を使用し得る。
【００６５】
[0081]いくつかの実施形態では、ＲＡＮ３１０は、ゲートウェイＧＰＲＳ（汎用パケット無線サービス（General Packet Radio Service））サポートノード（ＧＧＳＮ：Gateway GPRS Support Node）、またはパケットデータネットワークゲートウェイ（Ｐ−ＧＷ：Packet Data Network Gateway）、ホームエージェント（ＨＡ：Home Agent）、またはローカルモビリティアンカー（ＬＭＡ：Local Mobility Anchor）（まとめて３１４として識別される）のうちの１つまたは複数と結合される。ＧＧＳＮ／Ｐ−ＧＷ／ＨＡ／ＬＭＡ３１４は、サービングゲートウェイ（Ｓ−ＧＷ：serving gateway）３３２、サービングＧＰＲＳサポートノード（ＳＧＳＮ：serving GPRS support node）３３０、パケットデータサービングノード（ＰＳＤＮ：packet data serving node）３３６、またはＨＲＰＤサービングゲートウェイ（ＨＳＧＷ：HRPD Serving Gateway）３３６を介してＲＡＮ３１０に接続され得る。ＧＧＳＮ／Ｐ−ＧＷ／ＨＡ／ＬＭＡ３１４は、無線領域とパケットデータ領域との間のブリッジを与えるように構成され得る。ＧＧＳＮ／Ｐ−ＧＷ／ＨＡ／ＬＭＡ３１４は、マシンツーマシン（Ｍ２Ｍ）サーバ３１６とのデータ通信を実行し得る。Ｍ２Ｍサーバ３１６はサービス能力サーバ（ＳＣＳ：Service Capability Server）と呼ばれることもある。マシンツーマシンサーバ３１６によって受信されたデータ通信は、マシンツーマシンアプリケーション３２８によって最終的にサービスされ得る。場合によっては、ＧＧＳＮ／Ｐ−ＧＷ／ＨＡ／ＬＭＡ３１４はＭ２Ｍアプリケーション３２８ｂと直接通信し得る。Ｍ２Ｍアプリケーション３２８ａおよびＭ２Ｍアプリケーション３２８ｂは、以下でＭ２Ｍアプリケーション３２８と総称されることがある。いくつかの実施形態では、マシンツーマシンサーバ３１６およびマシンツーマシンアプリケーション３２８は、上記で説明したように公益事業会社または自動車製造業者など、マシンツーマシンサービスプロバイダによって制御される。
【００６６】
[0082]図３に示す実施形態など、いくつかの実施形態では、サービスプロバイダがサービスプロバイダ（ＳＰ）認証、許可、およびアカウンティング（ＡＡＡ：authentication, authorization, and accounting）モジュール３１２をも含むことが望ましいことがある。このモジュールは、マシンツーマシンサーバ３１６および／またはマシンツーマシンアプリケーション３２８のための使用情報を記憶するように構成されたデータストレージとして実装され得る。たとえば、データパケットがマシンツーマシンサーバ３１６を通過するとき、マシンツーマシンサーバ３１６は、そのパケットに関連付けられたデバイス接続情報を識別し得る。これは、マシンツーマシンサーバ３１６が、パケットを生成したＭ２Ｍ  ＵＥデバイス３０２を識別することを可能にし得る。認証、許可、サブスクリプションなどのうちの１つまたは複数に基づいて、マシンツーマシンサーバ３１６はパケットを処理し得る。たとえば、マシンツーマシンデバイス３０８が週ごとに１つのトランザクションのためにサブスクライブされ、第２のトランザクションが受信される場合、マシンツーマシンサーバ３１６はパケットをブロックし得る。この場合、マシンツーマシンサーバ３１６は、その原因（たとえば、サブスクリプション超過）および／またはどのようにその問題を修正すべきか（たとえば、サブスクリプションレベルを増加させること）を識別する応答パケットを送信するように構成され得る。
【００６７】
[0083]いくつかの実施形態では、非パケット交換ネットワークを介してＭ２Ｍ  ＵＥデバイス３０２と通信することが望まれ得る。たとえば、マシンツーマシンサーバ３１６は、制御プレーンシグナリングを使用してマシンツーマシンデバイスに情報を送信し得る。この例では、マシンツーマシンサーバ３１６は、マシンツーマシンインターワーキング機能（Ｍ２Ｍ−ＩＷＦ：machine to Machine Interworking Function）３１８と通信するように構成され得る。場合によっては、Ｍ２Ｍ−ＩＷＦ３１８は、マシンタイプ通信がマシンツーマシン通信のための別の用語であり得るので、マシンタイプ通信インターワーキング機能（ＭＴＣ−ＩＷＦ：machine type communication Interworking Function）と呼ばれることがある。マシンツーマシンインターワーキング機能３１８はマシンツーマシンサーバ３１６から制御プレーン信号を受信し得る。一実施形態では、マシンツーマシンインターワーキングフレームワーク３１８はＧＧＳＮ／Ｐ−ＧＷ／ＨＡ／ＬＭＡ３１４と結合され得る。この実施形態では、Ｍ２Ｍ−ＩＷＦ３１８は、上記で説明したように配信のためにＧＧＳＮ／Ｐ−ＧＷ／ＨＡ／ＬＭＡ３１４に制御信号を送信し得る。いくつかの実施形態では、Ｍ２Ｍ−ＩＷＦ３１８は、ＧＧＳＮ／Ｐ−ＧＷ／ＨＡ／ＬＭＡ３１４への送信のために制御プレーン信号をパケット信号に変換するようにさらに構成され得る。
【００６８】
[0084]いくつかの実施形態では、Ｍ２Ｍサーバ３１６またはＭ２Ｍアプリケーション３２８は、ショートメッセージサービス（ＳＭＳ）メッセージングを介してマシンツーマシンデバイス３０８にデータを送信し得る。メッセージはＳＭＳサービスコントローラ（ＳＭＳ−ＳＣ：SMS service controller）３２０によって受信され得る。ＳＭＳ−ＳＣ３２０は、本明細書ではメッセージセンター（ＭＣ：Message Center）３２０と呼ばれることもある。ＳＭＳ−ＳＣ３２０はまた、ネットワーキング交換サブシステム（ＧＭＳＣ：networking switching subsystem）またはインターワーキング交換センターであり得る。ＳＭＳ−ＳＣ３２０は、さらにＩＰショートメッセージゲートウェイ（ＩＰ−ＳＭ−ＧＷ：IP short-message gateway）３２１と通信し得る。この実施形態では、ＳＭＳ−ＳＣ３２０は、メッセージを受信し、そのメッセージをＩＰアンカーＧＧＳＮ／Ｐ−ＧＷ／ＨＡ／ＬＭＡ３１４に送信するように構成され得る。一実施形態では、ＳＭＳ−ＳＣ３２０は、予定メッセージ受信者に関連付けられたＩＰアンカーを判断するためにＭ２Ｍ−ＩＷＦ３１８と通信し得る。ＳＭＳ−ＳＣ３２０は、次いで、識別されたＧＧＳＮ／Ｐ−ＧＷ／ＨＡ／ＬＭＡ３１４との接続を確立し、ＳＭＳをＩＰ  ＳＭＳパケットとして送信し得る。ＩＰ  ＳＭＳパケットは、ＳＭＳメッセージを受信するためにＭ２Ｍ  ＵＥデバイス３０２に関連付けられた、デバイス識別子、デバイス接続識別子、ローカルホスト識別子のうちの１つまたは複数を含み得る。Ｍ２Ｍ  ＵＥデバイス３０２に通信を送るためにメッセージセンターの他のタイプのメッセージングサービスおよび機能が使用され得ることを諒解されたい。たとえば、ＵＳＳＤメッセージングが使用され得る。したがって、ＵＳＳＤゲートウェイ３２６も含まれ得、メッセージを配信するためにＭ２Ｍ−ＩＷＦ３１８および／またはＧＧＳＮ／Ｐ−ＧＷ／ＨＡ／ＬＭＡ３１４およびＭＳＣ３２４と通信するように構成され得る。
【００６９】
[0085]上記の通信経路について、マシンツーマシンサーバ３１６またはマシンツーマシンアプリケーション３２８から発信し、Ｍ２Ｍ  ＵＥデバイス３０２に宛てられる通信として説明したが、Ｍ２Ｍ  ＵＥデバイス３０２がマシンツーマシンサーバ３１６またはマシンツーマシンアプリケーション３２８に通信を送信することを可能にするために、同様の送信パターンが実装され得ることを理解されよう。
【００７０】
[0086]いくつかの実施形態では、Ｍ２Ｍサーバ３１６および／またはＭ２Ｍアプリケーション３２８はＭ２Ｍデバイス３０８にメッセージをプッシュし得る。たとえば、公益事業会社がサービスプロバイダである場合、高電気需要期間中に、公益事業会社は、低減使用状況が起こったことを示す需要応答信号をスマートメーター（Ｍ２Ｍデバイス３０８）に送信し得る。スマートメーターは、たとえば、いくつかの非必須のアプライアンスを無効にすることによって使用を低減するように、構成され得る。この場合、Ｍ２Ｍデバイス３０８のロケーションは必ずしも知られているとは限らない。
【００７１】
[0087]制御プレーン（またはそれ以外）を介してＭ２Ｍ  ＵＥデバイス３０２と通信するために、Ｍ２Ｍ−ＩＷＦ３１８は、ＲＡＮ３１０を介してＭ２Ｍ  ＵＥデバイス３０２に情報を送信し得るモビリティ交換センター（ＭＳＣ：mobility switching center）３２４に情報を送り得る。いくつかの実施形態では、モビリティ管理エンティティ３２６が、ＲＡＮ３１０を介してＭ２Ｍ−ＩＷＦ３１８とＭ２Ｍ  ＵＥデバイス３０２との間で通信するために使用され得る。ＵＥ３０２ｂがＲＡＮ３１０に最初に登録するとき、ＲＡＮ３１０はモビリティ交換センター（ＭＳＣ）３２４／訪問者ロケーション記録にＵＥ３０２ｂのロケーションの記録を送信し得る。いくつかの実施形態では、ＲＡＮ３１０はデバイス接続識別子を与え得る。対応する記録がホームロケータ記録（ＨＬＲ：home locator record）／ホーム加入者サーバ（ＨＳＳ：Home Subscriber Server）３２２に送信され得る。登録の一部として、ＲＡＮ３１０は、Ｍ２Ｍ  ＵＥデバイス３０２がネットワークにアタッチし得るかどうか、それがどのサービスレベルを与えられ得るかなどを識別するために、ＡＡＡ３０６と通信し得る。パケットデータネットワークのコンテキストでは、Ｍ２Ｍ  ＵＥデバイス３０２がＲＡＮ３１０に登録するとき、ＩＰアドレスが、Ｍ２Ｍ  ＵＥデバイス３０２、および／またはＭ２Ｍ  ＵＥデバイス３０２とアタッチされたデバイスに関連付けられ得る。
【００７２】
[0088]Ｍ２Ｍ  ＵＥデバイス３０２の登録後に、Ｍ２Ｍサーバ３１６は、１つまたは複数の通信経路を通してＭ２Ｍ  ＵＥデバイス３０２のためのメッセージを送信し得る。デバイストリガリングは、マシンツーマシンサービスプロバイダからマシンツーマシンデバイスにメッセージを与えるために、使用され得る。デバイストリガリングは、Ｍ２Ｍ  ＵＥデバイス３０２がＭ２Ｍサーバ３１６との通信を開始することを要求するために、使用され得る。Ｍ２Ｍ  ＵＥデバイス３０２がＭ２Ｍサーバ３１６に登録した後、Ｍ２Ｍ  ＵＥデバイス３０２は、Ｍ２Ｍサーバ３１６と通信するためのモードで常に動作しているとは限らないので、後続の通信リンクがセットアップされる必要があり得る。Ｍ２Ｍサーバ３１６との通信を確立するための動作を開始するようにＭ２Ｍ  ＵＥデバイス３０２をトリガするために、Ｍ２Ｍサーバ３１６は、Ｍ２Ｍ−ＩＷＦ３１８にデバイストリガリング要求を送り、それに応答して、Ｍ２Ｍ−ＩＷＦ３１８は、Ｍ２Ｍ  ＵＥデバイス３０２にデバイストリガリング要求を送る。デバイストリガリング要求メッセージがＭ２Ｍ  ＵＥデバイス３０２によって受信されるとき、Ｍ２Ｍ  ＵＥデバイス３０２はＭ２Ｍサーバ３１６への接続を開始する。デバイストリガリング要求を受信したことに応答して、他の動作がＭ２Ｍ  ＵＥデバイス３０２によって実行され得る。たとえば、デバイストリガリング要求メッセージは、たとえば、センサーからデータを取得するためなどの、Ｍ２Ｍ  ＵＥデバイス３０２への１つまたは複数のコマンドをさらに備え得る。
【００７３】
[0089]一実施形態では、Ｍ２Ｍサーバ３１６はＭ２Ｍ−ＩＷＦ３１８にトリガリング要求を送信する。トリガリング要求は、デバイス識別子および／またはデバイス接続識別子などの外部インターフェース識別子を含み得る。Ｍ２Ｍ−ＩＷＦ３１８は、外部インターフェース識別子に関連付けられたＭ２Ｍアプリケーション３０４を実行するＭ２Ｍ  ＵＥデバイス３０２のためのＩＰアドレスを判断し得る。Ｍ２Ｍアプリケーション３０４は、図１のマシンツーマシンデバイス１１２に関して上記で説明したようにマシンツーマシンセンサーデバイス３１２と通信していることがある。たとえば、Ｍ２Ｍ−ＩＷＦ３１８は、トリガリング要求を送信するために使用すべき適切なデバイス接続識別子を識別するために、ネットワーク事業者ＡＡＡ３０６またはサービスプロバイダＡＡＡ（図示せず）の一方または両方に問い合わせ得る。パケットデータ接続のコンテキストでは、ＩＰアドレスは、ＧＧＳＮ／Ｐ−ＧＷ／ＨＡ／ＬＭＡ３１４またはＩＰアドレスのための適切なＩＰアンカーを通してデータフローを作成するために使用され得る。これは、今度は、Ｍ２Ｍ  ＵＥデバイス３０２にアタッチされたＲＡＮ３１０がデバイストリガのためのデータフローを作成することを引き起こし得る。確立されると、そのデータフローは、トリガされるべきＭ２Ｍ  ＵＥデバイス３０２とＭ２Ｍサーバ３１６との間の双方向パケットデータ通信のために使用され得る。
【００７４】
[0090]いくつかの事例では、Ｍ２Ｍサーバ３１６は、たとえば、デバイストリガリング要求を送ることが可能であるＭ２Ｍ−ＩＷＦ３１８のアドレスを識別する必要があり得る。したがって、Ｍ２Ｍサーバ３１６は、ネットワークアドレスを得るためにドメインネームシステム（ＤＮＳ）サーバ３３４に接続するように構成され得る。Ｍ２Ｍサーバ３１６が、Ｍ２Ｍ−ＩＷＦ３１８のためのネットワークアドレスを取得すると、Ｍ２Ｍサーバ３１６は、Ｍ２Ｍ−ＩＷＦ３１８にメッセージを送ることが可能であり得る。
【００７５】
[0091]本明細書で説明するいくつかの実施形態は、関連するヘッダ情報とともにエンベロープ中にデバイストリガリング要求メッセージをカプセル化する、ネットワーク３００中のアダプテーションレイヤを与えることを対象とする。一態様では、カプセル化は、以下でさらに説明するように、重複検出、セグメンテーション／リアセンブリ、および随意の肯定応答を可能にし得る。さらに、エンベロープは、ＣＤＭＡ２０００  １ｘ、ショートメッセージサービス（ＳＭＳ）、インターネットプロトコル（ＩＰ）、非構造化付加サービスデータ（ＵＳＳＤ：unstructured supplementary service data）、非アクセス層（ＮＡＳ：non-access stratum）シグナリング、ブロードキャストＳＭＳ、セルブロードキャスティング、マルチメディアブロードキャストマルチキャストサービス（ＭＢＭＳ：Multimedia Broadcast Multicast Service）など、様々な異なる通信機構を介してトランスポートされ得る。
【００７６】
[0092]図４は、一実施形態による、マシンツーマシンデバイストリガリングのためのプロトコルにおいて使用するメッセージインターフェース４０２の図である。上記によれば、メッセージインターフェース４０２は、デバイストリガリング要求がＭ２Ｍ  ＵＥデバイス３０２においてＭ２Ｍアプリケーションによってどのように扱われるかを定義するためのアダプテーションレイヤを与えることを可能にし得る。メッセージインターフェース４０２は、Ｍ２Ｍ  ＵＥデバイス３０２とＭＴＣ−ＩＷＦ３１８との間のインターフェースを与え得る。一態様では、これは、Ｍ２Ｍ−ＩＷＦ３１８が、デバイストリガリング要求メッセージをトランスポートするための通信機構を選択することが可能であることを可能にし得る。
【００７７】
[0093]メッセージインターフェース４０２は、トリガペイロード４０４、（識別子「外部ＩＤ」を含む）ヘッダ４０６、およびトランスポート４０８の機構を与えられ得る。トランスポート部分４０８は、上記で説明したように、たとえば、ＳＭＳ、ＩＰ、ブロードキャスト、ＵＳＳＤなど、使用される通信機構に対応し得る。通信機構のための通信のために使用されるデータパケットまたはそれ以外が、トリガペイロード４０４とヘッダ４０６とをカプセル化し得る。このようにして、デバイストリガリングメッセージは、デバイストリガリング要求を通信するために使用される通信機構に依存しないことがある（すなわち、トランスポート非依存）。
【００７８】
[0094]トリガペイロード４０４は、Ｍ２Ｍサーバ３１６から受信されたデバイストリガメッセージのペイロードである。Ｍ２Ｍ−ＩＷＦ３１８からＭ２Ｍ  ＵＥデバイス３０２に送られたヘッダ４０６は、Ｍ２Ｍ  ＵＥデバイス３０２がペイロード４０４をどのように扱うことになるかを定義するための異なる情報を含み得る。たとえば、ヘッダ４０６は、「トリガ」のメッセージタイプと、識別子「外部ＩＤ」とを含み得る。「外部ＩＤ」は、Ｍ２Ｍサーバ３１６からＭ２Ｍ−ＩＷＦ３１８にデバイストリガを通信するために使用されるメッセージからコピーされ得る。ヘッダ４０６は、メッセージシーケンス番号、セグメント番号、セグメントの総数、肯定応答が必要とされるか否か、セグメンテーション／リアセンブリ情報、後続のメッセージをトランスポートするための推奨通信機構（たとえば、ＩＰ、ＳＭＳ、１ｘＣＳ、ＵＳＳＤ、ＮＡＳ、セルブロードキャスティング、ブロードキャストＳＭＳ、ＭＢＭＳ）、セキュリティ情報（トリガをトランスポートするためのいくつかの通信機構がセキュリティを有しないことがあるので、暗号化および完全性保護）など、他の情報をさらに含み得る。
【００７９】
[0095]したがって、一態様では、追加のインターフェース、または新しいプロトコルが、Ｍ２Ｍ  ＵＥデバイス３０２とＭＴＣ−ＩＷＦ３１８との間に与えられる。一態様では、外部ＩＤなど、識別子が与えられ得る。識別子および／または他の情報は、デバイストリガリングメッセージを扱うためにＭ２Ｍ  ＵＥデバイス３０２によって使用されるマシンツーマシンサービスレイヤプロトコルを判断するために使用され得る。Ｍ２Ｍ  ＵＥデバイス３０２のＭ２Ｍ  ＵＥアプリケーション３０４が（たとえば、ペイロード４０４およびヘッダ４０６からの）デバイストリガリングメッセージからマシンツーマシンサービスレイヤプロトコルを導出すると、Ｍ２Ｍ  ＵＥアプリケーション３０４は、たとえば、「外部ＩＤ」に基づいて、意図されたセンサーを識別し得る。センサー３１２を識別するために使用される機構および情報は、マシンツーマシンサービスレイヤプロトコルによって定義され得る。
【００８０】
[0096]Ｍ２Ｍ  ＵＥアプリケーション３０４は、識別されたマシンツーマシンサービスレイヤプロトコルに従って、およびヘッダ４０６とトリガペイロード４０４とからの情報に基づいて、センサー３１２にメッセージを送る。一態様では、マシンツーマシンサービスレイヤプロトコルは、ヘッダ４０４中のフィールドの特定の構成によって少なくとも部分的に定義され得る。たとえば、どのようにＭ２Ｍセンサー３１２にメッセージを送信すべきか、およびどの情報を含めるべきかに加えて、マシンツーマシンサービスレイヤプロトコルは、さらに、どのように肯定応答がＭ２Ｍサーバ３１６に送信されるかを定義し得る。たとえば、一態様では、マシンツーマシンサービスレイヤプロトコルは、センサー３１２がＭ２Ｍ  ＵＥデバイス３０２中のＭ２Ｍ  ＵＥアプリケーション３０４に肯定応答を送信すると、デバイストリガリングメッセージの肯定応答が送信されることを定義し得る。別の態様では、マシンツーマシンサービスレイヤプロトコルは、肯定応答がＭ２Ｍセンサー３１２からＭ２Ｍ  ＵＥデバイス３０２において受信されるかどうかにかかわらず、デバイストリガリングメッセージの肯定応答が送信されることを定義し得る。別の態様では、マシンツーマシンサービスレイヤプロトコルは、肯定応答を送るためのタイマーが一定量だけ調整されることを定義し得る。このようにして、肯定応答機構は、何らかの中間ノードに対して透過的であり、トランスポート非依存方法で送られ得る。マシンツーマシンサービスレイヤプロトコルは、さらに、たとえば、使用すべき通信機構など、Ｍ２Ｍサーバ３１６との通信リンクをどのように開始すべきかを定義し得る。一実施形態では、通信リンクと肯定応答ポリシーとのための情報はヘッダ４０６によって定義され得る。
【００８１】
[0097]図４に示すメッセージは、インターネットプロトコル（ＩＰ）上で動作し得、たとえば、指定されたポートとともに、ＵＤＰを使用し得る。さらに、トランスポートがインターネットプロトコル（ＩＰ）を使用する場合、新しいＩＰプロトコル識別子がＭ２Ｍアプリケーション３０４に与えられ得る。さらに、パケットは、あらかじめ定義されたソースＩＰアドレスとポートとでハードコードされ得る。
【００８２】
[0098]上記で説明したように、マシンツーマシンサービスレイヤプロトコルは肯定応答機構を定義し得る。これはいくつかの利益を与え得る。たとえば、ＳＭＳなどの通信機構によって与えられる肯定応答に依拠しないことが望まれ得る。さらに、すべての通信機構が既存の肯定応答機構を有するとは限らない（たとえば、ブロードキャスト、ＳＭＳ、セルブロードキャスティング、ＭＢＭＳ）。これは、肯定応答が望まれるが、肯定応答機構なしにブロードキャスト機構を使用してデバイストリガリング要求を送信することが好ましいまたは必要である、という問題をもたらし得る。Ｍ２Ｍ  ＵＥデバイス３０２からの肯定応答は、識別されたマシンツーマシンサービスレイヤプロトコルによって定義されるところの追加情報をさらに含み得る。肯定応答メッセージは、「ａｃｋ」のメッセージタイプと、メッセージシーケンス番号と、ソース（すなわち、Ｍ２Ｍ  ＵＥデバイス３０２）と、宛先（すなわち、Ｍ２Ｍ−ＩＷＦ３１８）と、Ｍ２Ｍ  ＵＥデバイス３０２に到達するためにトリガメッセージによって使用されるトランスポートと、（たとえば、ＡＫＡまたはＧＢＡなどから導出される）セキュリティとを含み得る。さらに、Ｍ２Ｍ  ＵＥデバイス３０２は、いくつかの考慮事項に基づいて肯定応答をトランスポートするために使用される通信機構を決定し得る。たとえば、識別された通信機構は（たとえばコネクションレス機構またはそれ以外の間で選定するために）来るべきさらなるデータがあるかどうかに基づき得る。
【００８３】
[0099]肯定応答のための通信機構は、トリガ要求を配信するために使用される通信機構によって使用される肯定応答のための通信機構とは異なり得る。たとえば、デバイストリガリング要求を与えるために使用される通信機構は、ブロードキャスト、マルチキャスト、またはユニキャストであり得、各々は、個々に、肯定応答を送るための異なる機構を有するか、またはそれがないことがある。
【００８４】
[00100]図５は、一実施形態による、デバイストリガリング要求について説明したアダプションレイヤを与えるために使用され得るマシンツーマシンデバイストリガリングのための例示的なコールフローのコールフロー図である。Ｍ２Ｍサーバ３１６が、Ｍ２Ｍ  ＵＥデバイス３０２についてのデバイストリガリング要求を生成することを判断するとき、Ｍ２Ｍサーバ３１６は、Ｍ２Ｍ−ＩＷＦ３１８にデバイストリガリング要求の配信についての要求を送り得る。呼５０２において、Ｍ２Ｍサーバ３１６は、まだ記憶されていないかまたは知られていない場合、Ｍ２Ｍ−ＩＷＦ３１８のネットワークアドレスを判断するためにＤＮＳサーバ３１８に随意に問い合わせ得る。
【００８５】
[00101]呼５０４において、Ｍ２Ｍサーバ３１６は、Ｍ２Ｍ  ＵＥデバイス３０２への配信のためにＭ２Ｍ−ＩＷＦ３１８にデバイストリガ要求を送る。デバイストリガ要求は識別子「外部ＩＤ」を含む。Ｍ２Ｍサーバ３１６から送られたデバイストリガ要求メッセージは、「デバイストリガ要求」などのメッセージタイプを含み得る。デバイストリガ要求メッセージは、メッセージの発信者（すなわち、Ｍ２Ｍサーバ３１６）の識別情報をさらに含む。デバイストリガ要求メッセージはターゲット（Ｍ２Ｍ−ＩＷＦ３１８）のアドレスをさらに含む。上記で説明したように、Ｍ２Ｍのアドレスは、外部識別情報に基づいてＤＮＳを使用して判断され得る。デバイストリガ要求メッセージは、トリガ参照番号、トリガターゲット（Ｍ２Ｍ  ＵＥデバイス３０２などの１つまたは複数のＭ２Ｍ  ＵＥデバイス）の外部識別情報またはＭＳＩＳＤＮ、随意の有効期間（たとえば、終了時間）、トリガメッセージの随意の優先度インジケータ（デフォルト値＝ノーマル）、および随意のペイロード（透過データ）をさらに含む。
【００８６】
[00102]デバイストリガ要求メッセージは追加のプロプライエタリパラメータをさらに含み得る。一態様では、これらのパラメータは、通信プロトコルに固有であり、たとえば３ＧＰＰ２プロトコルに基づくパラメータであり得る。デバイストリガ要求メッセージは、トランスポートレイヤにおいて扱われ得るホップバイホップセキュリティをさらに含む。
【００８７】
[00103]トランスポート非依存方式でデバイストリガリング要求を送るためのデータを与え得る、およびマシンツーマシンサービスレイヤプロトコルを定義するための追加の特徴を追加するための、追加のパラメータがさらにデバイストリガ要求メッセージに追加され得る。一態様では、デバイストリガ要求メッセージは、配信肯定応答が必要とされるかどうかどうかに関する指示（はい／いいえ）をさらに含み得る。これは、デフォルト値が「はい」である場合、随意であり得る。デバイストリガ要求メッセージは、たとえばブロードキャストまたはユニキャストのいずれかとして、好適なトランスポート機構をさらに含む。このパラメータは同様に随意であり得る。ブロードキャストが好適である場合、デバイストリガ要求メッセージは、サービスカテゴリー（Ｍ２Ｍクラス）とトリガ配信エリアとを含み得る。デバイストリガ要求メッセージは、Ｍ２Ｍ  ＵＥデバイス３０２とＭ２Ｍサーバ３１６との間で送られる追加のデータのためのＭ２Ｍアプリケーションクラスパラメータ（たとえば、スマートグリッド、ｅＨｅａｌｔｈなど）および関連するＱｏＳをさらに含む。デバイストリガ要求メッセージは、トリガの後に来るさらなるデータがあるかどうかに関する指示をさらに含み得る。一態様では、これは、トランスポートのための通信機構を選択するためにＭ２Ｍ−ＩＷＦ３１８によって使用され得る。デバイストリガ要求メッセージは、（たとえば、ブロードキャストが許容できる場合）トリガされるべきＭ２Ｍ  ＵＥデバイス３０２のロケーションと、カテゴリーとをさらに含み得る。
【００８８】
[00104]いくつかの実施形態では、デバイストリガ要求メッセージは、好適なトランスポート機構、セグメンテーションが許されるかどうか、ＳＭＳのために使用されるポートメンバー、またはＩＰデバイストリガ配信、の指示を含み得る。
【００８９】
[00105]Ｍ２Ｍサーバ３１６からデバイストリガ要求を受信することに基づいて、Ｍ２Ｍ−ＩＷＦ３１８は、呼５０６において、Ｍ２Ｍサーバ３１６がその要求を送ることを許可されるかどうかなどを判断するために、許可および負荷制御を実行する。たとえば、Ｍ２Ｍ−ＩＷＦ３１８はトリガソース（すなわち、Ｍ２Ｍサーバ３１６）を認証し得る。Ｍ２Ｍ−ＩＷＦ３１８は、さらに、Ｍ２Ｍサーバ３１６がそれの割当て量を超えていないことを検証し、トリガ到着レートが許可された限度内にあることを検証し得る。
【００９０】
[00106]許可されると、Ｍ２Ｍ−ＩＷＦ３１８は、呼５０８において、ＨＬＲ／ＨＳＳ／ＡＡＡ３２２に加入者情報要求を送る。場合によっては、メッセージは、Ｍ２Ｍ−ＩＷＦ３１８が、必要とされる情報をキャッシュしない場合、必要とされるにすぎないことがある。ＨＬＲ３２２へのメッセージは、外部識別子と、ＭＳＩＳＤＮと、Ｍ２Ｍサーバ３１６によって受信される場合はＭ２Ｍサーバ３１６の識別子とを含む。Ｍ２Ｍ−ＩＷＦ３１８はＨＬＲ／ＨＳＳ／ＡＡＡ３２２からの返答を待つ。ＨＬＲ３２２は、呼５１０において、内部識別子を含む加入者情報応答で応答する。
【００９１】
[00107]Ｍ２Ｍ−ＩＷＦ３１８は、その後、呼５１２に示されるように、Ｍ２Ｍ  ＵＥデバイス３０２へのデバイストリガリング要求の配信がそれによって行われるべきである、通信機構を判断し得る。Ｍ２Ｍ−ＩＷＦ３１８は、内部ＩＤ、Ｍ２Ｍ  ＵＥデバイス３０２の登録ステータス、メッセージ優先度、メッセージ満了時間、（たとえば、ブロードキャスト／マルチキャストについての）Ｍ２Ｍサーバ３１６の選好、ネットワーク動作状態、事業者ポリシー、事業者とのＭ２Ｍサーバ３１６の同意、Ｍ２Ｍ  ＵＥデバイス３０２のサブスクリプション、Ｍ２Ｍ  ＵＥデバイス３０２のロケーションなどに基づいて、トランスポート機構を選択し得る。Ｍ２Ｍ−ＩＷＦ３１８は、次いで、選択されたトランスポートをサービスし、サービングノードにデバイストリガ要求を送り得る、ノード（たとえば、ＳＭＳ−ＳＣ３２０など）を選択する。Ｍ２Ｍ−ＩＷＦ３１８は複数の通信機構を選択し得る。したがって、複数のサービングノードが選択される場合、各通信機構（たとえば、１ｘ、ＳＭＳ、ＵＳＳＤなど）は並列に、または（たとえば、１つまたは複数が失敗した場合、次々に試みるために優先度において）連続的に試みられ得る。
【００９２】
[00108]配信機構が選択されると、呼５１４において、Ｍ２Ｍ−ＩＷＦ３１８は、Ｍ２Ｍサーバ３１６に送られ得るデバイストリガ確認メッセージを随意に送り得る。一態様では、デバイストリガ確認メッセージは、Ｍ２Ｍサーバ３１６がＭ２Ｍ−ＩＷＦ３１８によって仮定されるレートを超えるレートでトリガメッセージを生成するか、Ｍ２Ｍサーバ３１６が許可されるよりも多くのトリガメッセージを生成するか、外部識別情報が内部識別情報にマッピングされることができないか、トリガを受信するために外部識別情報が許可されないか、Ｍ２Ｍサーバ３１６が（外部識別情報によって識別された）宛先にトリガメッセージを送ることを許可されないか、または、トリガメッセージが選択されたサービングノード（たとえば、ＳＭＳ−ＳＣ３２０）に送られるとき、送られ得る。
【００９３】
[00109]デバイストリガ確認メッセージは、Ｍ２Ｍサーバ３１６から受信されたデバイストリガ要求メッセージの初期肯定応答として機能し得る。デバイストリガ確認メッセージは、たとえば、「デバイストリガ確認」のメッセージタイプを含み得、トリガ参照番号を含み得る。デバイストリガ確認は、Ｍ２Ｍ−ＩＷＦ３１８（メッセージの発信者）の識別情報とメッセージのターゲット（Ｍ２Ｍサーバ３１６）の識別情報とをさらに含み得る。デバイストリガ確認は、トリガ要求メッセージが受け入れられたのか許可されなかったのか、割当て量が超えられたかどうか、レートが超えられたかどうか、および、Ｍ２Ｍサーバ３１６によって与えられる外部識別情報／ＭＳＩＳＤＮが未知であるかどうかを示す、原因値をさらに含む。デバイストリガ確認メッセージは、Ｍ２Ｍサーバ３１６が（たとえば、輻輳により）さらなるメッセージを送るべきでない期間を示す、バックオフタイマーをも随意に含み得る。デバイストリガ確認メッセージは、デバイストリガ報告がＭ２Ｍサーバ３１６によって与えられることになるかどうかの指示をも含み得る。これは、Ｍ２Ｍサーバ３１６が、報告を待つためのアクションをとることまたは何らかの他の対応するアクションをとることのいずれかが可能であることを可能にし得る。
【００９４】
[00110]ブロック５１６において、Ｍ２Ｍ−ＩＷＦ３１８は、ブロック５１２における動作に基づいて、トリガの配信のために機構１を選択することを決定していることがある。一例として、通信機構１はＣＤＭＡ２０００  １ｘを介していることがある。したがって、Ｍ２Ｍ−ＩＷＦ３１８は、呼５１８に示すように、デバイストリガ要求がＭ２Ｍ  ＵＥデバイス３０２に通信機構１を介してそれによって配信される、プロシージャを開始する。通信機構１のためのデバイストリガ配信プロシージャは、上記で説明したように、ＰＤＳＮ／ＰＧＷ／ＣＧＳＮ３１４およびＭＳＣ／ＳＧＳＮ／ＭＭＥ３２４などのいくつかの中間エンティティを介していることがある。ブロック５２０において、Ｍ２Ｍ−ＩＷＦ３１８は、機構１が失敗した場合、代替配信機構２を選択し得る。あるいは、Ｍ２Ｍ−ＩＷＦ３１８は、機構１と機構２の両方を並列に使用することを判断し得る。一例として、通信機構２は、デバイストリガ要求を配信するためにＳＭＳメッセージングを利用し得る。したがって、呼５２０において、Ｍ２Ｍ−ＩＷＦ３１８は、通信機構２を介してデバイストリガを配信するためのプロシージャを開始し得る。
【００９５】
[00111]たとえば、上述のように、一態様では、通信機構１はＳＭＳ−ＳＣ３２０を介して与えられ得る。したがって、デバイストリガメッセージはＳＭＳ−ＳＣ３２０にサブミットされ得る。ＳＭＳ−ＳＣメッセージは、「トリガサブミット（submit trigger）」のメッセージタイプを含み、トランザクション識別情報と、内部識別情報（たとえば、ＩＭＳＩ）と、トリガのソース（たとえば、Ｍ２Ｍサーバ３１６）と、トリガ参照番号とを含み得る。トリガのソースとトリガ参照番号は、Ｍ２Ｍ−ＩＷＦ３１８がメッセージ配信報告を送り得るように、与えられ得る。ＳＭＳ−ＳＣメッセージは、（ＳＭＳのための）有効期間と、（ＳＭＳのための）優先度と、サービングノード識別情報のリスト（ＨＬＲ／ＨＳＳ３２２照会を最小限に抑えるための最適化）と、ＳＭＳアプリケーションポートと、ペイロードとをさらに含み得る。
【００９６】
[00112]それに応答して、ＳＭＳ−ＳＣ３２０は、「トリガサブミット」メッセージの受信を確認するためにＭＴＣ−ＩＷＦ３１８にメッセージをサブミットし得る。トリガ確認メッセージは、デバイストリガ報告を可能にするためにトランザクション識別情報とともに「トリガ確認サブミット（submit trigger confirm）」のメッセージタイプを含み得る。トリガ確認メッセージは、トリガサブミットメッセージからコピーされたトリガのソース（Ｍ２Ｍサーバ３１６）をさらに含み得る。トリガ確認メッセージは（同じく「トリガサブミット」メッセージからコピーされた）トリガ参照番号をさらに含み得る。
【００９７】
[00113]ＳＭＳ−ＳＣ３２０がトリガを配信することを試みた後、ＳＭＳ−ＳＣ３２０はＭＴＷ−ＩＷＦ３１８にメッセージ配信報告を与え得る。これは、原因コード、Ｍ２Ｍサーバ３１６の識別情報、およびトリガ参照番号とともに、「メッセージ配信報告」のメッセージタイプを含み得る（長い期間の間メッセージの状態を保つようにＭ２Ｍ−ＩＷＦ３１８に要求する）。
【００９８】
[00114]選択された通信機構が配信確認を与え、Ｍ２Ｍサーバ３１６が配信確認を要求した場合、呼５２４において、Ｍ２Ｍ−ＩＷＦ３１８は、配信確認が受信されるとき、Ｍ２Ｍサーバ３１６にデバイストリガ報告を送り得る。デバイストリガ報告メッセージは、外部識別子／ＭＳＩＳＤＮ、およびトリガ参照番号とともに、「デバイストリガ報告」のメッセージタイプを含む。デバイストリガ報告メッセージは、メッセージの発信者（ＭＴＣ−ＩＷＦ３１８）の識別情報とメッセージのターゲット（Ｍ２Ｍサーバ３１６）の識別情報とを示す識別子をさらに含む。デバイストリガ報告メッセージは、ＭＴＣ−ＩＷＦ３１８によって使用されるトリガ配信トランスポート方法（たとえば、ＳＭＳ、ＵＳＳＤ、ＩＰ／ユーザプレーンベース、制御プレーンベース、ブロードキャストなど）を随意に含み得る。デバイストリガ報告メッセージは、デバイストリガ要求を配信するための試みの結果を示す原因値をさらに含み得る。原因値は、配信が成功したかどうか、Ｍ２Ｍ  ＵＥデバイス３０２が到達不可能であることにより配信が失敗したかどうか、ネットワーク輻輳により配信が失敗したかどうか、未知の理由で配信が失敗したかどうか、または、未知の理由が、（たとえば、ブロードキャストモードが肯定応答を与えないので）トリガがＭ２Ｍ  ＵＥデバイス３０２によって受信されたどうかに関して未知だったかどうかを示し得る。追加の原因値は、Ｍ２Ｍサーバ３１６が適切なアクションをとり得る（たとえば、輻輳のため再び試みるか、Ｍ２Ｍ  ＵＥデバイス３０２を登録解除するか、または何らかの期間待つ）ように、追加情報を与え得る。デバイストリガ報告メッセージは、Ｍ２Ｍサーバ３１６が輻輳などを回避するためになどの理由で追加のメッセージを送るべきでないことを示すために、バックオフタイマーをさらに随意に含み得る。デバイストリガ報告を受信したことに応答して、Ｍ２Ｍサーバ３１６は、呼５２６において示されるようにデバイストリガ報告確認を送り得る。
【００９９】
[00115]その後、配信が成功した場合、呼５２８によって示されるように、Ｍ２Ｍ  ＵＥデバイス３０２によって受信されたデバイストリガ要求に応答した何らかのアクションがあり得る。たとえば、Ｍ２Ｍ  ＵＥデバイス３０２は、データを転送するためにＭ２Ｍサーバ３１６との通信リンクを開始し得る。一態様では、これは、Ｍ２Ｍ  ＵＥデバイス３０２がネットワーク３００上でＭ２Ｍサーバ３１６とのＩＰデータ通信を始め得るように、ＰＤＳＮ３３６とのＰＰＰセッションまたはＰ−ＧＷ／ＧＧＳＮ３１４とのＰＤＰコンテキストを確立することによって行われ得る。
【０１００】
[00116]図６は、一実施形態による、マシンツーマシンデバイストリガリングのための別の例示的なコールフローのコールフロー図である。図６のコールフロー図は、識別されたマシンツーマシンサービスレイヤプロトコルを利用し得る通信を示すコールフローを示している。呼６０２において、Ｍ２Ｍサーバ３１６は、トリガペイロード４０４のための情報とともに、識別子「外部ＩＤ」をもつデバイストリガ要求をＭ２Ｍ−ＩＷＦ３１８に送る。Ｍ２Ｍ−ＩＷＦ３１８は、たとえば、図５の呼５０６〜５１２に関して説明したように、デバイストリガリング要求を送るための準備をする。呼６０６において、Ｍ２Ｍ−ＩＷＦ３１８は、デバイストリガリング要求を配信するための通信機構を選択する。デバイストリガリング要求は、図４を参照しながら上記で説明したようにトリガペイロード４０４とヘッダ４０６とを含む。呼６０８において、Ｍ２Ｍ−ＩＷＦ３１８は、選択された通信機構を介してデバイストリガ配信プロシージャを実行する。Ｍ２Ｍ  ＵＥデバイス３０２においてデバイストリガリング要求を受信すると、Ｍ２Ｍアプリケーション３０４が、ヘッダとペイロードとを復号し、限定はしないが、ヘッダ４０６内に含まれる識別子など、デバイストリガリング要求中の情報に基づいてマシンツーマシンサービスレイヤプロトコルを識別する。呼６１０において、Ｍ２Ｍ  ＵＥデバイス３０２は、識別されたマシンツーマシンサービスレイヤプロトコルを使用してＭ２Ｍセンサー３１２にデバイストリガメッセージを送る。呼６１２において、肯定応答がセンサー３１２によって随意に送られ得る。肯定応答ポリシーが、識別されたマシンツーマシンサービスレイヤプロトコルによって判断され得る。呼６１４において、Ｍ２Ｍ  ＵＥデバイス３０２は、識別されたマシンツーマシンサービスレイヤプロトコルによって与えられるように肯定応答を送る。呼６１６において、何らかの通信が、デバイストリガに応答してセンサー３１２とＭ２Ｍサーバ３１６との間で行われ得る。
【０１０１】
[00117]図７は、一実施形態による、マシンツーマシンデバイストリガリングのための例示的な方法７００のフローチャートである。一態様では、方法７０２は、Ｍ２Ｍ  ＵＥデバイス３０２が、Ｍ２Ｍアプリケーション３０２を介して、デバイストリガリングメッセージに従ってマシンツーマシンサービスレイヤプロトコルをどのように識別し、使用し得るかを表し得る。ブロック７０２において、Ｍ２Ｍ  ＵＥデバイス３０２は、Ｍ２Ｍサーバ３２０とのメッセージングに基づいてサーバ、たとえば、ＭＴＣ−ＩＷＦ３１８からデバイストリガリングメッセージを受信する。ブロック７０４において、Ｍ２Ｍ  ＵＥデバイス３０２は、デバイストリガリング要求メッセージ中の、識別子など、情報に基づいてマシンツーマシンセンサー３１２と対話するためのマシンツーマシンサービスレイヤプロトコルを識別する。たとえば、一態様では、異なるフィールドを備えるヘッダ４０６の内容が、マシンツーマシンセンサー３１２と対話するための、およびデバイストリガを扱うためのマシンツーマシンレイヤプロトコルを少なくとも部分的に定義し得る。
【０１０２】
[00118]ブロック７０６において、Ｍ２Ｍ  ＵＥデバイス３０２は、デバイストリガリングメッセージ中の識別子に基づいてターゲットＭ２Ｍセンサー３１２を識別する。Ｍ２Ｍ  ＵＥデバイス３０２は、識別されたマシンツーマシンサービスレイヤプロトコルを使用して、およびデバイストリガリング要求メッセージ中の他の情報から、Ｍ２Ｍセンサー３１２を識別し得る。ブロック７０８において、Ｍ２Ｍ  ＵＥデバイス３０２は、識別されたサービスレイヤプロトコルを使用して、およびデバイストリガメッセージの内容に基づいて、Ｍ２Ｍセンサー３１２と通信する。たとえば、Ｍ２Ｍ  ＵＥデバイス３０２は、Ｍ２Ｍセンサー３１２をアクティブにするためのコマンドを送信し得、またはＭ２Ｍセンサー３１２にペイロード４０４からの他のデータを配信し得る。ブロック７１０において、Ｍ２Ｍ  ＵＥデバイス３０２は、マシンツーマシンサービスレイヤプロトコルによって与えられるようにデバイストリガメッセージの肯定応答を送信する。上記で説明したように、肯定応答は、Ｍ２Ｍセンサー３１２の肯定応答ポリシーに基づいてまたは所望のトランスポート機構に基づいて定義され得る。ブロック７０８において、Ｍ２Ｍセンサー３１２／Ｍ２Ｍ  ＵＥデバイス３０２は、デバイストリガに応答して、識別されたマシンツーマシンサービスレイヤプロトコルによって定義されるようにＭ２Ｍサーバ３１６への通信リンクを開始する。
【０１０３】
[00119]図８は、一実施形態による、ブロードキャストマシンツーマシンデバイストリガリングのための例示的なコールフローのコールフロー図である。上記で説明したように、一態様では、デバイストリガ要求を配信するために使用される通信機構がブロードキャスト通信機構を介して送られ得る。たとえば、Ｍ２Ｍ−ＩＷＦ３１８は、上記で説明したように、ブロードキャスト機構を介してメッセージを配信することを判断し得る。呼８０２において、Ｍ２Ｍ−ＩＷＦ３１８は、配信のためにブロードキャストマルチキャストサービスセンター（ＢＭ−ＳＣ：broadcast multicast service center）３２０またはセルブロードキャストセンター（ＣＢＣ：Cell Broadcast Center）にトリガ要求メッセージをサブミットする。Ｍ２Ｍ−ＩＷＦ３１８からトリガを受信すると、呼８０４において、ＢＭ−ＳＣ３２０はＭ２Ｍ−ＩＷＦ３１８にトリガ確認メッセージを送信し得る。このトリガ確認メッセージは、（たとえば、「トリガ確認サブミット」のメッセージタイプなどとともに）上記で説明したトリガ確認メッセージと同様の情報を含み得る。呼８０６において、Ｍ２Ｍ−ＩＷＦ３１８はＭ２Ｍサーバ３１６にデバイストリガ確認メッセージをサブミットし得る。一態様では、デバイストリガ確認メッセージは、Ｍ２Ｍ−ＩＷＦ３１８からＭ２Ｍサーバ３１６に送られたデバイストリガ確認メッセージに関して上記で説明した情報の一部を含み得る。トリガ確認メッセージを送信した後に、ＢＭ−ＳＣ３２０は、呼８０８において、ＲＡＮ３１０に配信のためのメッセージをフォワーディングし得る。ＲＡＮ３１０は、呼８１０において、Ｍ２Ｍ  ＵＥデバイス３０２にメッセージを配信し得る。プロセス中に、ＢＭ−ＳＣ３２０は課金データ記録（ＣＤＲ：charging data record）生成を実行し得る。
【０１０４】
[00120]図９は、一実施形態による、ブロードキャストマシンツーマシンデバイストリガリングのための別の例示的なコールフローのコールフロー図である。図９は、図６のコールフローによる、ブロードキャスト機構としてショートメッセージサービス（ＳＭＳ）を使用することの一例を与える。したがって、一態様では、ブロードキャストＳＭＳが使用され得る。この場合、サービスカテゴリーのための値がＭ２Ｍデバイストリガリングのために定義され得、その結果、ＳＭＳパーサが、Ｍ２ＭトリガリングＳＭＳを送るための指示を受信するとき、ＳＭＳパーサは、それをＭＣ／ＳＭＳ−ＳＣ３２０内のＭ２Ｍハンドラにルーティングし得る。ＭＳＣ／ＭＭＥ３２４は、トリガリングメッセージを送るためにブロードキャスト共通チャネルを使用し得る。この場合、Ｍ２Ｍ−ＩＷＦ３１８は、ＨＬＲ３２２に外部ＩＤと、サービスカテゴリーと、ロケーションとを送って、それに応答して、内部ロケーション（たとえば、内部ゾーンＩＤ）を受信し得、内部ロケーションは、たとえばトリガデバイス要求をブロードキャストするためにそのロケーションを示すために、使用され得る。
【０１０５】
[00121]したがって、呼９０２、９０４、９０６、および９０８に示すように複数のＭ２Ｍデバイスのうちのいずれか１つのための初期Ｍ２Ｍデバイス登録が行われ得る。たとえば、呼９０２は、Ｍ２Ｍ  ＵＥデバイス３０２が異なるサブネット（たとえば、ＨＲＰＤ／ＰＺＩＤ（１ｘ））に移動するときの１回イベントであり得るデータセッション登録フェーズに関連付けられ得る。呼９０４において、ＰＤＳＮ３１４は、認証および許可中にＨＡＡＡ３０６にサブネットＩＤ（ＨＲＰＤ）またはＰＣＦ＿ＩＤ（１ｘ）およびＩＭＳＩを送り得る。呼９０６において、デバイスはＭ２Ｍサーバ３１６に登録する。呼６０８において、ＰＰＰセッションがティアダウンされ、ＩＰアドレスが解放される。
【０１０６】
[00122]呼９１０において、Ｍ２Ｍサーバ３１６は、デバイストリガリング要求が１つまたは複数のＭ２Ｍデバイスにブロードキャストされるべきであることを示すデバイストリガをＭ２Ｍ−ＩＷＦ３１８に送り得る。メッセージは、トリガされることを望まれるＭ２Ｍ  ＵＥデバイス３０２に関するある種のロケーション情報を含み得る。一態様では、メッセージは、図４に関して上記で説明したようにデバイストリガメッセージによって示される情報を含み得る。呼９１２および９１４において、Ｍ２Ｍ−ＩＷＦ３１８は、ブロードキャストＭ２Ｍデバイストリガリングのための外部ＩＤと、サービスカテゴリーと、ロケーションとを用いてＨＬＲ３２２に問い合わせ、ＨＬＲ３２２からブロードキャストＭ２Ｍデバイストリガリングのための内部ゾーンＩＤを介して内部ロケーション情報を受信し得る。サービスカテゴリーは、１つまたは複数のＭ２Ｍデバイスにデバイストリガリング要求を含むＳＭＳメッセージをブロードキャストするためのモードに対応するように定義され得る。呼９１４において、Ｍ２Ｍ−ＩＷＦ３１８は、トリガリングメッセージを含むトリガメッセージに設定されたＳＭＳ＿ＢｅａｒＤａｔａと、ブロードキャストテレサービス（ＳＣＰＴ）と、ＨＬＲ３２２から受信されたサービスカテゴリー（ＳＣ）を示すＳＭＳ＿ＢＴＴＩとをもつ、ＭＡＰ  ＳＭＤＰＰ  ＩＮＶＯＫＥメッセージを使用して、ＭＣ／ＳＭＳ−ＳＣ３２０にデバイストリガリングについてのブロードキャストＳＭＳ要求を送る。ＭＣ／ＳＭＳ−ＳＣ３２０は、さらに、Ｍ２Ｍ  ＵＥデバイス３０２のためのロケーション情報を受信する。たとえば、これは、図８の呼８０２に関して上記で説明したトリガサブミットメッセージに対応し得る。この時点で、Ｍ２Ｍ−ＩＷＦ３１８はＳＭＴを開始し得る。呼９１８において、ＭＣ／ＳＭＳ−ＳＣ３２０は、Ｍ２Ｍ−ＩＷＦ３１８にＳＭＤＰＰメッセージを肯定応答し、その時点で、ＳＭＴは、肯定応答が受信される場合、停止し得る。たとえば、これは、図８の呼８０４に関して上記で説明したトリガ確認サブミットメッセージに対応し得る。したがって、メッセージは、Ｍ２Ｍ−ＩＷＦ３１８にＭＣ３２０によって送られるトリガ確認メッセージに関して図５を参照しながら上記で説明した情報を含み得る。呼９２０において、Ｍ２Ｍ−ＩＷＦ３１８はＭ２Ｍサーバ３１６にデバイストリガ確認メッセージを送り得る。これは、図８の呼８０６に関して上記で説明したデバイストリガ確認メッセージに対応し得る。したがって、デバイストリガ確認メッセージは、図５に関してデバイストリガ確認メッセージとともに上記で説明した情報を含み得る。
【０１０７】
[00123]呼９２２において、ＭＣ／ＳＭＳ−ＳＣ３２０は、トリガリングメッセージを含むＳＭＳ＿ＢｅａｒＤａｔａパラメータと、ブロードキャストＳＣＰＴテレサービスと、サービスカテゴリーとをもつ、ＭＡＰ  ＳＭＤＰＰ  ＩＮＶＯＫＥメッセージを構築し、そのメッセージをＭＳＣ／ＭＭＥ３２４に送る。この時点で、ＭＣ／ＳＭＳ−ＳＣ３２０はＳＭＴを開始し得る。ＭＳＣ／ＭＭＥ３２４がＳＭＤＰＰ  ＩＮＶＯＫＥメッセージを受信するとき、ＭＳＣ／ＭＭＥ３２４は、ブロードキャストＭ２Ｍデバイストリガリングが許可されるかどうかを判断し得、呼９２２において、ＭＣ／ＳＭＳ−ＳＣ３２０に空のＭＡＰ  ｓｍｄｐｐを送り、その時点で、ＳＭＴはＭＳＣ／ＭＭＥ３２４によって停止され得る。
【０１０８】
[00124]呼９２４において、ＭＳＣ／ＭＭＥ３２４は、ブロードキャストＭ２Ｍデバイストリガリングが許可されるかどうかを判断する。ＭＳＣ／ＭＭＥ３２４は、次いで、トリガリングメッセージと、ブロードキャストテレサービスと、サービスカテゴリーとを含むＩＯＳ  ＡＤＤＳページを構築する。ＡＤＤＳユーザデータ情報要素のデータバーストタイプがＳＭＳに設定される。ＭＡＰ  ＳＭＤＰＰ  ＩＮＶＯＫＥのＳＭＳ−ＢｅａｒＤａｔａパラメータは、ＡＤＤＳユーザデータ情報要素のアプリケーションデータメッセージを作成するために使用される。ＭＳＣ／ＭＭＥ３２４は、ＲＡＮ／ＰＣＦ３１０にＩＯＳ  ＡＤＤＳページを送る。一態様では、呼９２２、９２４、９２６、および９２８は、図８を参照しながら上記で説明した呼８０８に対応し得る。ＭＳＣ／ＭＭＥ３２４は、ページング要求に基づいてタイマーＴ３１１３を開始し得る。ＲＡＮ／ＰＣＦ３１０がＩＯＳ：ＡＤＤＳページメッセージを受信するとき、呼９２８において、ＲＡＮ／ＰＣＦ３１０は、ＭＳＣ／ＭＭＥ３２４にＩＯＳ：ＡＤＤＳページＡｃｋを介して肯定応答メッセージを送る。その時点で、ＭＳＣ／ＭＭＥ３２４はタイマーＴ３１１３を停止し得る。ＲＡＮ／ＰＣＦ３１０は、次いで、呼９３０において、共通チャネル上でブロードキャストトリガリングメッセージを送信する。一態様では、これは図８の呼８１０に対応し得る。
【０１０９】
[00125]デバイストリガ要求を受信したことに応答して、ブロードキャストグループのＭ２Ｍ  ＵＥデバイス３０２は、呼９３２、９３４、および９３６において、ＰＰＰセッションまたは同様のセッションを確立することによってＭ２Ｍサーバ３１６との通信リンクを開始し、Ｍ２Ｍサーバ３１６とともにデータを転送することを進め得る。たとえば、呼９３２において、Ｍ２Ｍ  ＵＥデバイス３０２は、ＰＤＳＮ３１４とともにＰＰＰセットアップを実行し、呼９３４において、認証を実行し、次いで、呼９３６において、Ｍ２Ｍサーバ３１６への通信経路を開いて、データ転送を実行することが可能であり得る。
【０１１０】
[00126]一態様では、上記で説明したように、Ｍ２Ｍ  ＵＥデバイス３０２において受信されるブロードキャストメッセージは、図５を参照しながら上記で説明したメッセージに対応し得る。Ｍ２Ｍ  ＵＥデバイス３０２は、ブロードキャストを受信したことに応答して、ブロードキャストが、肯定応答のためのそれ自体の機構を与えないとしても、トリガの受信のＭ２Ｍサーバ３１６への肯定応答を送ることを判断し得る。したがって、Ｍ２Ｍサーバ３１６は、ブロードキャスト機構とは異なる、肯定応答を配信するための通信機構を判断し得る。
【０１１１】
[00127]図１０は、一実施形態による、デバイスをトリガするための例示的な方法１０００のフローチャートである。図１０に示す方法は、たとえば、図２において上記で説明したまたは図１０において以下で説明するデバイスを使用して、実装され得る。ブロック１００２において、Ｍ２Ｍ  ＵＥデバイス３０２が、第１の通信機構を介してサーバ３１６からデバイストリガリング要求を受信する。ブロック１００４において、Ｍ２Ｍ  ＵＥデバイス３０２は、サーバ３１６にデバイストリガリング要求の肯定応答を送信するための第２の通信機構を判断する。第２の通信機構は第１の通信機構と同じであるかまたはそれとは異なる。ブロック１００６において、Ｍ２Ｍ  ＵＥデバイス３０２は、第２の通信機構を介してデバイストリガリング要求の肯定応答を送信する。
【０１１２】
[00128]図１１に、図１の通信システム内で採用され得る別の例示的なデバイスの機能ブロック図を示す。ワイヤレス通信デバイスは、図１１に示す簡略化されたワイヤレス通信デバイス１１００よりも多くの構成要素を有し得ることを、当業者ならば諒解されよう。図示されたワイヤレス通信デバイス１１００は、いくつかの実施形態のいくつかの顕著な特徴について説明するために有用な構成要素のみを含む。ワイヤレス通信デバイス１１００は、受信機１１０２と、プロセッサ１１０４と、送信機１１０６とを含む。
【０１１３】
[00129]受信機１１０２は、第１の通信機構を介してサーバ３１６からデバイストリガリング要求を受信するように構成され得る。受信機１１０２は、メモリと、プロセッサと、信号検出器とのうちの１つまたは複数を含み得る。いくつかの実施形態では、受信するための手段は受信機１１０２を含む。
【０１１４】
[00130]プロセッサ１１０４は、サーバ３１６にデバイストリガリング要求の肯定応答を送信するための第２の通信機構を判断するように構成され得る。第２の通信機構は第１の通信機構と同じであるかまたはそれとは異なる。いくつかの実施形態では、判断するための手段はプロセッサ１１０４を含み得る。
【０１１５】
[00131]送信機１１０６は、第２の通信機構を介してデバイストリガリング要求の肯定応答を送信するように構成され得る。送信機１１０６は、メモリと、プロセッサと、信号検出器とのうちの１つまたは複数を含み得る。いくつかの実施形態では、送信するための手段は送信機１１０６を含む。
【０１１６】
[00132]図１２は、一実施形態による、デバイスをトリガするための例示的な方法１２００のフローチャートである。図１２に示すプロセスは、たとえば、図２において上記で説明したまたは図１３において以下で説明するデバイスを使用して、実装され得る。ブロック１２０２において、Ｍ２Ｍサーバ３１６が、第１の通信機構を介してデバイスに配信についてのデバイストリガリング要求を送信する。ブロック１２０４において、Ｍ２Ｍサーバ３１６は、第２の通信機構を介してデバイスからデバイストリガリング要求の肯定応答を受信する。第２の通信機構は第１の通信機構と同じであるかまたはそれとは異なる。
【０１１７】
[00133]図１３に、図１の通信システム内で採用され得る別の例示的なデバイス１３００の機能ブロック図を示す。ワイヤレス通信デバイスは、図１２に示す簡略化されたワイヤレス通信デバイス１３００よりも多くの構成要素を有し得ることを、当業者ならば諒解されよう。図示されたワイヤレス通信デバイス１３００は、いくつかの実施形態のいくつかの顕著な特徴について説明するために有用な構成要素のみを含む。ワイヤレス通信デバイス１３００は、受信機１３０２と送信機１３０４とを含む。
【０１１８】
[00134]送信機１３０２は、第１の通信機構を介してデバイス（たとえば、Ｍ２Ｍ  ＵＥデバイス３０２）に配信についてのデバイストリガリング要求を送信するように構成され得る。送信機１３０２は、メモリと、プロセッサと、信号検出器とのうちの１つまたは複数を含み得る。いくつかの実施形態では、送信するための手段は送信機１３０２を含む。
【０１１９】
[00135]受信機１３０４は、第２の通信機構を介してデバイス（たとえば、Ｍ２Ｍ  ＵＥデバイス３０２）からデバイストリガリング要求の肯定応答を受信するように構成され得る。第２の通信機構は第１の通信機構と同じであるかまたはそれとは異なる。いくつかの実施形態では、受信するための手段が受信機１３０４を含み得る。
【０１２０】
[00136]図１４は、一実施形態による、デバイスをトリガするための例示的な方法１４００のフローチャートである。図１４に示す方法は、たとえば、図２において上記で説明したまたは図１５において以下で説明するデバイス２０２を使用して、実装され得る。ブロック１４０２において、Ｍ２Ｍ  ＵＥデバイス３０２が、サーバ３１６からデバイストリガリング要求を受信する。デバイストリガリング要求は識別子を含む。ブロック１４０４において、Ｍ２Ｍ  ＵＥデバイス３０２は、たとえばＭ２Ｍアプリケーション３０４を介して、デバイストリガリング要求メッセージの内容と上記識別子とに基づいてマシンツーマシンサービスレイヤプロトコルを識別する。ブロック１４０６において、Ｍ２Ｍ  ＵＥデバイス３０２は、上記識別子に基づいてセンサーを識別する。ブロック１４０８において、Ｍ２Ｍ  ＵＥデバイス３０２は、識別されたマシンツーマシンサービスレイヤプロトコルによって定義されるように、識別されたセンサーにメッセージを送る。
【０１２１】
[00137]図１５に、図１の通信システム内で採用され得る別の例示的なデバイスの機能ブロック図を示す。ワイヤレス通信デバイスは、図１５に示す簡略化されたワイヤレス通信デバイス１５００よりも多くの構成要素を有し得ることを、当業者ならば諒解されよう。図示されたワイヤレス通信デバイス１５００は、いくつかの実施形態のいくつかの顕著な特徴について説明するために有用な構成要素のみを含む。ワイヤレス通信デバイス１５００は、受信機１５０２と、プロセッサ１５０４と、送信機１５０６とを含む。
【０１２２】
[00138]受信機１５０２は、図１４のブロック１４０２に示した機能のうちの１つまたは複数を実行するように構成され得る。受信機１５０２は、メモリと、プロセッサと、信号検出器とのうちの１つまたは複数を含み得る。いくつかの実施形態では、受信するための手段が受信機１５０２を含む。
【０１２３】
[00139]プロセッサ１５０４は、図１４のブロック１４０４および１４０６に示した機能のうちの１つまたは複数を実行するように構成され得る。いくつかの実施形態では、識別するための手段がプロセッサ１５０４を含み得る。
【０１２４】
[00140]送信機１５０６は、図１４のブロック１４０８に示した機能のうちの１つまたは複数を実行するように構成され得る。いくつかの実施形態では、送信するための手段が送信機１５０６を含む。
【０１２５】
[00141]図１６は、一実施形態による、デバイスをトリガするための例示的な方法１６００のフローチャートである。図１６に示す方法は、たとえば、図２において上記で説明したまたは図１７において以下で説明するデバイス２０２を使用して、実装され得る。ブロック１６０２において、Ｍ２Ｍ−ＩＷＦ３１８がデバイストリガリング要求メッセージを生成する。デバイストリガリング要求メッセージは、識別子を含み、センサー３１２と通信しているワイヤレスデバイスによって少なくとも部分的に使用されるマシンツーマシンサービスレイヤプロトコルを示す情報を含む。ブロック１６０４において、Ｍ２Ｍ−ＩＷＦ３１８が、センサー３１２と通信しているワイヤレスデバイスにデバイストリガリング要求メッセージを送信する。
【０１２６】
[00142]図１７に、図１の通信システム内で採用され得る別の例示的なデバイスの機能ブロック図を示す。ワイヤレス通信デバイスは、図１７に示す簡略化されたワイヤレス通信デバイス１７００よりも多くの構成要素を有し得ることを、当業者ならば諒解されよう。図示されたワイヤレス通信デバイス１７００は、いくつかの実施形態のいくつかの顕著な特徴について説明するために有用な構成要素のみを含む。ワイヤレス通信デバイス１７００は、送信機１７０２とプロセッサ１４０４とを含む。
【０１２７】
[00143]プロセッサ１７０４は、図１６のブロック１６０２に示した機能のうちの１つまたは複数を実行するように構成され得る。いくつかの実施形態では、生成するための手段がプロセッサ１７０４を含み得る。
【０１２８】
[00144]送信機１７０２は、図１６のブロック１６０４に示した機能のうちの１つまたは複数を実行するように構成され得る。送信機１７０２は、メモリと、プロセッサと、信号検出器とのうちの１つまたは複数を含み得る。いくつかの実施形態では、送信するための手段が送信機１７０２を含む。
【０１２９】
[00145]本明細書では、いくつかの態様では、Ｍ２Ｍ  ＵＥデバイス３０２にデバイストリガ要求を配信するための方法を通信機構と呼んだが、いくつかの態様では、通信機構は、通信プロトコル、または通信方法と呼ばれることもある。
【０１３０】
[00146]本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。さらに、本明細書で使用する「チャネル幅」は、いくつかの態様では帯域幅を包含することがあるか、または帯域幅と呼ばれることもある。
【０１３１】
[00147]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１３２】
[00148]上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示すどの動作も、その動作を実行することが可能な対応する機能的手段によって実行され得る。
【０１３３】
[00149]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３４】
[00150]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含まれるべきである。
【０１３５】
[00151]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１３６】
[00152]説明した機能は、ハードウェア、ソフトウェア、ファームウェアまたはそれらの任意の組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。
【０１３７】
[00153]したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１３８】
[00154]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１３９】
[00155]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【０１４０】
[00156]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【０１４１】
[00157]上記は本開示の態様を対象とするが、本開示の他の態様およびさらなる態様は、それの基本的範囲から逸脱することなく考案され得、それの範囲は以下の特許請求の範囲によって判断される。
【図１】
2015519790.tif 000003
【図２】
2015519790.tif 000004
【図３】
2015519790.tif 000005
【図４】
2015519790.tif 000006
【図５】
2015519790.tif 000007
【図６】
2015519790.tif 000008
【図７】
2015519790.tif 000009
【図８】
2015519790.tif 000010
【図９】
2015519790.tif 000011
【図１０】
2015519790.tif 000012
【図１１】
2015519790.tif 000013
【図１２】
2015519790.tif 000014
【図１３】
2015519790.tif 000015
【図１４】
2015519790.tif 000016
【図１５】
2015519790.tif 000017
【図１６】
2015519790.tif 000018
【図１７】
2015519790.tif 000019
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
マシンツーマシン通信のための方法であって、前記方法は下記を備える、
ワイヤレスデバイスにおいて、サーバからデバイストリガリング要求メッセージを受信することであって、前記デバイストリガリング要求メッセージが識別子を備える、と、
前記ワイヤレスデバイスにおいて、前記デバイストリガリング要求メッセージの内容と前記識別子とに基づいてマシンツーマシンサービスレイヤプロトコルを識別することと、
前記ワイヤレスデバイスにおいて、前記識別子に少なくとも部分的に基づいてセンサーを識別することと、
前記ワイヤレスデバイスにおいて、前記識別されたマシンツーマシンサービスレイヤプロトコルによって定義されるように前記センサーにメッセージを送ることであって、前記センサーが前記ワイヤレスデバイスとは別個のデバイスである、と、
前記ワイヤレスデバイスにおいて、識別された前記マシンツーマシンサービスレイヤプロトコルによって定義されるように前記サーバに前記デバイストリガリング要求メッセージの肯定応答を送ること。
【請求項２】
前記センサーを識別することが、前記識別子に基づいて、および前記マシンツーマシンサービスレイヤプロトコルによって定義されるように、前記センサーを識別することをさらに備える、請求項１に記載の方法。
【請求項３】
前記マシンツーマシンサービスレイヤプロトコルによって定義されるように前記肯定応答を送ることが、前記センサーから別の肯定応答を受信した後に前記肯定応答を送ることと、前記センサーに前記デバイストリガリング要求を送る前に前記肯定応答を送ることと、前記肯定応答を送るためのタイマー値を調整することとのうちの少なくとも１つを備える、請求項１に記載の方法。
【請求項４】
前記デバイストリガリング要求メッセージが、前記デバイストリガリング要求を受信するために使用される通信プロトコルによって定義されるようにデータパケット中にカプセル化される、請求項１に記載の方法。
【請求項５】
前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、請求項４に記載の方法。
【請求項６】
前記デバイストリガリング要求は、前記デバイストリガリング要求メッセージが前記デバイストリガリング要求を受信するために使用される前記通信プロトコルに依存しないように、カプセル化される、請求項４に記載の方法。
【請求項７】
前記サービスレイヤプロトコルによって定義されるように前記デバイストリガリング要求を受信したことに応答して前記サーバへの通信リンクを開始することをさらに備える、請求項１に記載の方法。
【請求項８】
マシンツーマシン通信のためのワイヤレス通信装置であって、前記装置は下記を備える、
サーバからデバイストリガリング要求メッセージを受信するように構成された受信機であって、前記デバイストリガリング要求メッセージが識別子を備える、と、
プロセッサであって、
前記デバイストリガリング要求メッセージの内容と前記識別子とに基づいてマシンツーマシンサービスレイヤプロトコルを識別することと、
前記識別子に少なくとも部分的に基づいてセンサーを識別することと、
を行うように構成される、と、
送信機であって、
前記識別されたマシンツーマシンサービスレイヤプロトコルによって定義されるように前記センサーにメッセージを送ることであって、前記センサーが前記ワイヤレス通信装置とは別個の装置である、と、
識別された前記マシンツーマシンサービスレイヤプロトコルによって定義されるように前記サーバに前記デバイストリガリング要求メッセージの肯定応答を送ることと、
を行うように構成される。
【請求項９】
前記プロセッサが、前記識別子に少なくとも部分的に基づいて、および識別された前記マシンツーマシンサービスレイヤプロトコルによって定義されるように、前記センサーを識別するように構成された、請求項８に記載の装置。
【請求項１０】
前記送信機が、前記センサーから別の肯定応答を受信した後に前記肯定応答を送ることと、前記センサーに前記デバイストリガリング要求を送る前に前記肯定応答を送ることと、前記肯定応答を送るためのタイマー値を調整することとのうちの少なくとも１つを行うように構成された、請求項８に記載の装置。
【請求項１１】
前記デバイストリガリング要求メッセージが、前記デバイストリガリング要求を受信するために使用される通信プロトコルによって定義されるようにデータパケット中にカプセル化される、請求項８に記載の装置。
【請求項１２】
前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの少なくとも１つを備える、請求項１１に記載の装置。
【請求項１３】
前記デバイストリガリング要求は、前記デバイストリガリング要求メッセージが前記デバイストリガリング要求を受信するために使用される前記通信プロトコルに依存しないように、カプセル化される、請求項１１に記載の装置。
【請求項１４】
前記プロセッサが、前記サービスレイヤプロトコルによって定義されるように前記デバイストリガリング要求を受信したことに応答して前記サーバへの通信リンクを開始するようにさらに構成された、請求項１４に記載の装置。
【請求項１５】
マシンツーマシン通信のためのワイヤレス通信装置であって、前記装置は下記を備える、
サーバからデバイストリガリング要求メッセージを受信するための手段であって、前記デバイストリガリング要求メッセージが識別子を備える、と、
前記デバイストリガリング要求メッセージの内容と前記識別子とに基づいてマシンツーマシンサービスレイヤプロトコルを識別するための手段と、
前記識別子に少なくとも部分的に基づいてセンサーを識別するための手段と、
前記識別されたマシンツーマシンサービスレイヤプロトコルによって定義されるように前記センサーにメッセージを送るための手段であって、前記センサーが前記ワイヤレス通信装置とは別個の装置である、と、
識別された前記マシンツーマシンサービスレイヤプロトコルによって定義されるように前記サーバに前記デバイストリガリング要求メッセージの肯定応答を送るための手段。
【請求項１６】
前記センサーを識別するための前記手段が、前記識別子に基づいて、および前記マシンツーマシンサービスレイヤプロトコルによって定義されるように、前記センサーを識別するための手段をさらに備える、請求項１５に記載の装置。
【請求項１７】
前記マシンツーマシンサービスレイヤプロトコルによって定義されるように前記肯定応答を送るための前記手段が、前記センサーから別の肯定応答を受信した後に前記肯定応答を送るための手段と、前記センサーに前記デバイストリガリング要求を送る前に前記肯定応答を送るための手段と、前記肯定応答を送るためのタイマー値を調整するための手段とのうちの少なくとも１つを備える、請求項１５に記載の装置。
【請求項１８】
前記デバイストリガリング要求メッセージが、前記デバイストリガリング要求を受信するために使用される通信プロトコルによって定義されるようにデータパケット中にカプセル化される、請求項１５に記載の装置。
【請求項１９】
前記デバイストリガリング要求は、前記デバイストリガリング要求メッセージが前記デバイストリガリング要求を受信するために使用される前記通信プロトコルに依存しないように、カプセル化される、請求項１８に記載の装置。
【請求項２０】
実行されたとき、装置に、マシンツーマシン通信のための方法を実行することを行わせる、命令でその上に符号化されたコンピュータ可読記憶媒体を備えるコンピュータプログラム製品であって、前記方法は下記を備える、
サーバからデバイストリガリング要求メッセージを受信することであって、前記デバイストリガリング要求メッセージが識別子を備える、と、
前記デバイストリガリング要求メッセージの内容と前記識別子とに基づいてマシンツーマシンサービスレイヤプロトコルを識別することと、
前記識別子に少なくとも部分的に基づいてセンサーを識別することと、
前記識別されたマシンツーマシンサービスレイヤプロトコルによって定義されるように前記センサーにメッセージを送ることであって、前記センサーが前記装置とは別個の装置である、と、
識別された前記マシンツーマシンサービスレイヤプロトコルによって定義されるように前記サーバに前記デバイストリガリング要求メッセージの肯定応答を送ることと
を備える、
コンピュータプログラム製品。
【請求項２１】
前記センサーを識別することが、前記識別子に基づいて、および前記マシンツーマシンサービスレイヤプロトコルによって定義されるように、前記センサーを識別することをさらに備える、請求項２０に記載のコンピュータプログラム製品。
【請求項２２】
前記マシンツーマシンサービスレイヤプロトコルによって定義されるように前記肯定応答を送ることが、前記センサーから別の肯定応答を受信した後に前記肯定応答を送ることと、前記センサーに前記デバイストリガリング要求を送る前に前記肯定応答を送ることと、前記肯定応答を送るためのタイマー値を調整することとのうちの少なくとも１つを備える、請求項２０に記載のコンピュータプログラム製品。
【請求項２３】
前記デバイストリガリング要求メッセージが、前記デバイストリガリング要求を受信するために使用される通信プロトコルによって定義されるようにデータパケット中にカプセル化される、請求項２０に記載のコンピュータプログラム製品。
【請求項２４】
マシンツーマシン通信のための方法であって、前記方法は下記を備える、
デバイストリガリング要求メッセージを生成することであって、前記デバイストリガリング要求メッセージが、識別子を備え、センサーと通信しているワイヤレスデバイスによって少なくとも部分的に使用されるマシンツーマシンサービスレイヤプロトコルを示す情報を備える、と、
前記センサーと通信している前記ワイヤレスデバイスに前記デバイストリガリング要求メッセージを送信することであって、前記センサーが前記ワイヤレスデバイスとは別個のデバイスである、と、
識別された前記マシンツーマシンサービスレイヤプロトコルによって定義されるように前記ワイヤレスデバイスから前記デバイストリガリング要求メッセージの肯定応答を受信すること。
【請求項２５】
前記デバイストリガリング要求メッセージを送信することが、通信プロトコルによって定義されるようにデータパケットを送信することを備え、前記デバイストリガリング要求メッセージが前記データパケット中にカプセル化される、請求項２４に記載の方法。
【請求項２６】
前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、請求項２５に記載の方法。
【請求項２７】
前記デバイストリガリング要求は、前記デバイストリガリング要求メッセージが前記デバイストリガリング要求を送信するために使用される前記通信プロトコルに依存しないように、カプセル化される、請求項２５に記載の方法。
【請求項２８】
前記デバイストリガリング要求を送信したことに応答して前記センサーとの通信リンクを開始するためのメッセージを受信することをさらに備える、請求項２４に記載の方法。
【請求項２９】
マシンツーマシン通信のためのワイヤレス通信装置であって、前記装置下記を備えるは、
デバイストリガリング要求メッセージを生成するように構成されたプロセッサであって、前記デバイストリガリング要求メッセージが、識別子を備え、センサーと通信しているワイヤレスデバイスによって少なくとも部分的に使用されるマシンツーマシンサービスレイヤプロトコルを示す情報を備える、と、
前記センサーと通信している前記ワイヤレスデバイスに前記デバイストリガリング要求メッセージを送信するように構成された送信機であって、前記センサーが前記ワイヤレスデバイスとは別個のデバイスである、と、
識別された前記マシンツーマシンサービスレイヤプロトコルによって定義されるように前記ワイヤレスデバイスから前記デバイストリガリング要求メッセージの肯定応答を受信するように構成された受信機。
【請求項３０】
前記送信機が、通信プロトコルによって定義されるようにデータパケット内で前記デバイストリガリング要求メッセージを送信するように構成され、前記デバイストリガリング要求メッセージが前記データパケット中にカプセル化される、請求項２９に記載の装置。
【請求項３１】
前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、請求項３０に記載の装置。
【請求項３２】
前記デバイストリガリング要求は、前記デバイストリガリング要求メッセージが前記デバイストリガリング要求を送信するために使用される前記通信プロトコルに依存しないように、カプセル化される、請求項３０に記載の装置。
【請求項３３】
前記デバイストリガリング要求を送信したことに応答して前記センサーとの通信リンクを開始するためのメッセージを受信するように構成された受信機をさらに備える、請求項２９に記載の装置。
【請求項３４】
マシンツーマシン通信のためのワイヤレス通信装置であって、前記装置は下記を備える、
デバイストリガリング要求メッセージを生成するための手段であって、前記デバイストリガリング要求メッセージが、識別子を備え、センサーと通信しているワイヤレスデバイスによって少なくとも部分的に使用されるマシンツーマシンサービスレイヤプロトコルを示す情報を備える、と、
前記センサーと通信している前記ワイヤレスデバイスに前記デバイストリガリング要求メッセージを送信するための手段であって、前記センサーが前記ワイヤレスデバイスとは別個のデバイスである、と、
識別された前記マシンツーマシンサービスレイヤプロトコルによって定義されるように前記ワイヤレスデバイスから前記デバイストリガリング要求メッセージの肯定応答を受信するための手段。
【請求項３５】
前記デバイストリガリング要求メッセージを送信するための前記手段が、通信プロトコルによって定義されるようにデータパケットを送信するための手段を備え、前記デバイストリガリング要求メッセージが前記データパケット中にカプセル化され、前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、請求項３４に記載の装置。
【請求項３６】
前記デバイストリガリング要求は、前記デバイストリガリング要求メッセージが前記デバイストリガリング要求を送信するために使用される前記通信プロトコルに依存しないように、カプセル化される、請求項３５に記載の装置。
【請求項３７】
実行されたとき、装置に、マシンツーマシン通信のための方法を実行することを行わせる、命令でその上に符号化されたコンピュータ可読記憶媒体を備えるコンピュータプログラム製品であって、前記方法は下記を備える、
デバイストリガリング要求メッセージを生成することであって、前記デバイストリガリング要求メッセージが、識別子を備え、センサーと通信しているワイヤレスデバイスによって少なくとも部分的に使用されるマシンツーマシンサービスレイヤプロトコルを示す情報を備える、と、
前記センサーと通信している前記ワイヤレスデバイスに前記デバイストリガリング要求メッセージを送信することであって、前記センサーが前記ワイヤレスデバイスとは別個のデバイスである、と、
識別された前記マシンツーマシンサービスレイヤプロトコルによって定義されるように前記ワイヤレスデバイスから前記デバイストリガリング要求メッセージの肯定応答を受信すること。
【請求項３８】
前記デバイストリガリング要求メッセージを送信することが、通信プロトコルによって定義されるようにデータパケットを送信することを備え、前記デバイストリガリング要求メッセージが前記データパケット中にカプセル化され、前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、請求項３７に記載のコンピュータプログラム製品。
【請求項３９】
前記デバイストリガリング要求は、前記デバイストリガリング要求メッセージが前記デバイストリガリング要求を送信するために使用される前記通信プロトコルに依存しないように、カプセル化される、請求項３８に記載のコンピュータプログラム製品。
【請求項４０】
前記識別子が前記センサーに固有である、請求項１に記載の方法。
【請求項４１】
前記ワイヤレスデバイスが前記センサーとワイヤレス通信している、請求項１に記載の方法。
【請求項４２】
前記識別子が、前記センサーを識別するために前記ワイヤレスデバイスによって少なくとも部分的に使用される、請求項２４に記載の方法。
【請求項４３】
前記ワイヤレスデバイスが前記センサーとワイヤレス通信している、請求項２４に記載の方法。
【請求項４４】
前記ワイヤレスデバイスからの前記デバイストリガリング要求メッセージの前記肯定応答は、前記ワイヤレスデバイスが前記センサーからセンサー肯定応答を受信した後に受信される、請求項２４に記載の方法。
【請求項４５】
前記識別子が、第１の識別子と第２の識別子とに基づく複合識別子である、請求項２４に記載の方法。
【請求項４６】
前記ワイヤレスデバイスにおいて、前記センサーからセンサー肯定応答をさらに受信する、請求項１に記載の方法。
【請求項４７】
前記識別子が、第１の識別子と第２の識別子とに基づく複合識別子である、請求項１に記載の方法。
【手続補正２】
【補正対象書類名】明細書
【補正対象項目名】０１４１
【補正方法】変更
【補正の内容】
【０１４１】
[00157]上記は本開示の態様を対象とするが、本開示の他の態様およびさらなる態様は、それの基本的範囲から逸脱することなく考案され得、それの範囲は以下の特許請求の範囲によって判断される。
以下に、本願出願の当初の特許請求の範囲に記載された発明を付記する。
［Ｃ１］マシンツーマシン通信のための方法であって、前記方法は下記を備える、
サーバからデバイストリガリング要求メッセージを受信することであって、前記デバイストリガリング要求メッセージが識別子を備える、と、
前記デバイストリガリング要求メッセージの内容と前記識別子とに基づいてマシンツーマシンサービスレイヤプロトコルを識別することと、
前記識別子に少なくとも部分的に基づいてセンサーを識別することと、
前記識別されたマシンツーマシンサービスレイヤプロトコルによって定義されるように前記センサーにメッセージを送ること。
［Ｃ２］前記センサーを識別することが、前記識別子に基づいて、および前記マシンツーマシンサービスレイヤプロトコルによって定義されるように、前記センサーを識別することをさらに備える、［Ｃ１］に記載の方法。
［Ｃ３］識別された前記マシンツーマシンサービスレイヤプロトコルによって定義されるように前記サーバに前記デバイストリガリング要求の肯定応答を送ることをさらに備える、［Ｃ１］に記載の方法。
［Ｃ４］前記マシンツーマシンサービスレイヤプロトコルによって定義されるように前記肯定応答を送ることが、前記センサーから別の肯定応答を受信した後に前記肯定応答を送ることと、前記センサーに前記デバイストリガリング要求を送る前に前記肯定応答を送ることと、前記肯定応答を送るためのタイマー値を調整することとのうちの少なくとも１つを備える、［Ｃ３］に記載の方法。
［Ｃ５］前記デバイストリガリング要求メッセージが、前記デバイストリガリング要求を受信するために使用される通信プロトコルによって定義されるようにデータパケット中にカプセル化される、［Ｃ１］に記載の方法。
［Ｃ６］前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、［Ｃ５］に記載の方法。
［Ｃ７］前記デバイストリガリング要求は、前記デバイストリガリング要求メッセージが前記デバイストリガリング要求を受信するために使用される前記通信プロトコルに依存しないように、カプセル化される、［Ｃ５］に記載の方法。
［Ｃ８］前記サービスレイヤプロトコルによって定義されるように前記デバイストリガリング要求を受信したことに応答して前記サーバへの通信リンクを開始することをさらに備える、［Ｃ１］に記載の方法。
［Ｃ９］マシンツーマシン通信のためのワイヤレス通信装置であって、前記装置は下記を備える、
サーバからデバイストリガリング要求メッセージを受信するように構成された受信機であって、前記デバイストリガリング要求メッセージが識別子を備える、と、
プロセッサであって、
前記デバイストリガリング要求メッセージの内容と前記識別子とに基づいてマシンツーマシンサービスレイヤプロトコルを識別することと、
前記識別子に少なくとも部分的に基づいてセンサーを識別することと、
を行うように構成される、と、
前記識別されたマシンツーマシンサービスレイヤプロトコルによって定義されるように前記センサーにメッセージを送るように構成された送信機。
［Ｃ１０］前記プロセッサが、前記識別子に少なくとも部分的に基づいて、および識別された前記マシンツーマシンサービスレイヤプロトコルによって定義されるように前記センサーを識別するように構成された、［Ｃ９］に記載の装置。
［Ｃ１１］識別された前記マシンツーマシンサービスレイヤプロトコルによって定義されるように前記サーバに前記デバイストリガリング要求の肯定応答を送るように構成された送信機をさらに備える、［Ｃ９］に記載の装置。
［Ｃ１２］前記送信機が、前記センサーから別の肯定応答を受信した後に前記肯定応答を送ることと、前記センサーに前記デバイストリガリング要求を送る前に前記肯定応答を送ることと、前記肯定応答を送るためのタイマー値を調整することとのうちの少なくとも１つを行うように構成された、［Ｃ１１］に記載の装置。
［Ｃ１３］前記デバイストリガリング要求メッセージが、前記デバイストリガリング要求を受信するために使用される通信プロトコルによって定義されるようにデータパケット中にカプセル化される、［Ｃ９］に記載の装置。
［Ｃ１４］前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの少なくとも１つを備える、［Ｃ１３］に記載の装置。
［Ｃ１５］前記デバイストリガリング要求は、前記デバイストリガリング要求メッセージが前記デバイストリガリング要求を受信するために使用される前記通信プロトコルに依存しないように、カプセル化される、［Ｃ１３］に記載の装置。
［Ｃ１６］前記プロセッサが、前記サービスレイヤプロトコルによって定義されるように前記デバイストリガリング要求を受信したことに応答して前記サーバへの通信リンクを開始するようにさらに構成された、［Ｃ１６］に記載の装置。
［Ｃ１７］マシンツーマシン通信のためのワイヤレス通信装置であって、前記装置は下記を備える、
サーバからデバイストリガリング要求メッセージを受信するための手段であって、前記デバイストリガリング要求メッセージが識別子を備える、と、
前記デバイストリガリング要求メッセージの内容と前記識別子とに基づいてマシンツーマシンサービスレイヤプロトコルを識別するための手段と、
前記識別子に少なくとも部分的に基づいてセンサーを識別するための手段と、
前記識別されたマシンツーマシンサービスレイヤプロトコルによって定義されるように前記センサーにメッセージを送るための手段。
［Ｃ１８］前記センサーを識別するための前記手段が、前記識別子に基づいて、および前記マシンツーマシンサービスレイヤプロトコルによって定義されるように前記センサーを識別するための手段をさらに備える、［Ｃ１７］に記載の装置。
［Ｃ１９］識別された前記マシンツーマシンサービスレイヤプロトコルによって定義されるように前記サーバに前記デバイストリガリング要求の肯定応答を送るための手段をさらに備える、［Ｃ１７］に記載の装置。
［Ｃ２０］前記マシンツーマシンサービスレイヤプロトコルによって定義されるように前記肯定応答を送るための前記手段が、前記センサーから別の肯定応答を受信した後に前記肯定応答を送るための手段と、前記センサーに前記デバイストリガリング要求を送る前に前記肯定応答を送るための手段と、前記肯定応答を送るためのタイマー値を調整するための手段とのうちの少なくとも１つを備える、［Ｃ１９］に記載の装置。
［Ｃ２１］前記デバイストリガリング要求メッセージが、前記デバイストリガリング要求を受信するために使用される通信プロトコルによって定義されるようにデータパケット中にカプセル化される、［Ｃ１７］に記載の装置。
［Ｃ２２］前記デバイストリガリング要求は、前記デバイストリガリング要求メッセージが前記デバイストリガリング要求を受信するために使用される前記通信プロトコルに依存しないように、カプセル化される、［Ｃ２１］に記載の装置。
［Ｃ２３］実行されたとき、装置に、マシンツーマシン通信のための方法を実行することを行わせる、命令でその上に符号化されたコンピュータ可読記憶媒体を備えるコンピュータプログラム製品であって、前記方法は下記を備える、
サーバからデバイストリガリング要求メッセージを受信することであって、前記デバイストリガリング要求メッセージが識別子を備える、と、
前記デバイストリガリング要求メッセージの内容と前記識別子とに基づいてマシンツーマシンサービスレイヤプロトコルを識別することと、
前記識別子に少なくとも部分的に基づいてセンサーを識別することと、
前記識別されたマシンツーマシンサービスレイヤプロトコルによって定義されるように前記センサーにメッセージを送ること。
［Ｃ２４］前記センサーを識別することが、前記識別子に基づいて、および前記マシンツーマシンサービスレイヤプロトコルによって定義されるように前記センサーを識別することをさらに備える、［Ｃ２３］に記載のコンピュータプログラム製品。
［Ｃ２５］前記方法が、識別された前記マシンツーマシンサービスレイヤプロトコルによって定義されるように前記サーバに前記デバイストリガリング要求の肯定応答を送ることをさらに備え、前記マシンツーマシンサービスレイヤプロトコルによって定義されるように前記肯定応答を送ることが、前記センサーから別の肯定応答を受信した後に前記肯定応答を送ることと、前記センサーに前記デバイストリガリング要求を送る前に前記肯定応答を送ることと、前記肯定応答を送るためのタイマー値を調整することとのうちの少なくとも１つを備える、［Ｃ２３］に記載のコンピュータプログラム製品。
［Ｃ２６］前記デバイストリガリング要求メッセージが、前記デバイストリガリング要求を受信するために使用される通信プロトコルによって定義されるようにデータパケット中にカプセル化される、［Ｃ２３］に記載のコンピュータプログラム製品。
［Ｃ２７］マシンツーマシン通信のための方法であって、前記方法は下記を備える、
デバイストリガリング要求メッセージを生成することであって、前記デバイストリガリング要求メッセージが、識別子を備え、センサーと通信しているワイヤレスデバイスによって少なくとも部分的に使用されるマシンツーマシンサービスレイヤプロトコルを示す情報を備える、と、
前記センサーと通信している前記ワイヤレスデバイスに前記デバイストリガリング要求メッセージを送信すること。
［Ｃ２８］識別された前記マシンツーマシンサービスレイヤプロトコルによって定義されるように前記ワイヤレスデバイスから前記デバイストリガリング要求の肯定応答を受信することをさらに備える、［Ｃ２７］に記載の方法。
［Ｃ２９］前記デバイストリガリング要求メッセージを送信することが、通信プロトコルによって定義されるようにデータパケットを送信することを備え、前記デバイストリガリング要求メッセージが前記データパケット中にカプセル化される、［Ｃ２７］に記載の方法。
［Ｃ３０］前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、［Ｃ２９］に記載の方法。
［Ｃ３１］前記デバイストリガリング要求は、前記デバイストリガリング要求メッセージが前記デバイストリガリング要求を送信するために使用される前記通信プロトコルに依存しないように、カプセル化される、［Ｃ２９］に記載の方法。
［Ｃ３２］前記デバイストリガリング要求を送信したことに応答して前記センサーとの通信リンクを開始するためのメッセージを受信することをさらに備える、［Ｃ２７］に記載の方法。
［Ｃ３３］マシンツーマシン通信のためのワイヤレス通信装置であって、前記装置は下記を備える、
デバイストリガリング要求メッセージを生成するように構成されたプロセッサであって、前記デバイストリガリング要求メッセージが、識別子を備え、センサーと通信しているワイヤレスデバイスによって少なくとも部分的に使用されるマシンツーマシンサービスレイヤプロトコルを示す情報を備える、と、
前記センサーと通信している前記ワイヤレスデバイスに前記デバイストリガリング要求メッセージを送信するように構成された送信機。
［Ｃ３４］識別された前記マシンツーマシンサービスレイヤプロトコルによって定義されるように前記ワイヤレスデバイスから前記デバイストリガリング要求の肯定応答を受信するように構成された受信機をさらに備える、［Ｃ３３］に記載の装置。
［Ｃ３５］前記送信機が、通信プロトコルによって定義されるようにデータパケット内で前記デバイストリガリング要求メッセージを送信するように構成され、前記デバイストリガリング要求メッセージが前記データパケット中にカプセル化される、［Ｃ３３］に記載の装置。
［Ｃ３６］前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、［Ｃ３５］に記載の装置。
［Ｃ３７］前記デバイストリガリング要求は、前記デバイストリガリング要求メッセージが前記デバイストリガリング要求を送信するために使用される前記通信プロトコルに依存しないように、カプセル化される、［Ｃ３５］に記載の装置。
［Ｃ３８］前記デバイストリガリング要求を送信したことに応答して前記センサーとの通信リンクを開始するためのメッセージを受信するように構成された受信機をさらに備える、［Ｃ３３］に記載の装置。
［Ｃ３９］マシンツーマシン通信のためのワイヤレス通信装置であって、前記装置は下記を備える、
デバイストリガリング要求メッセージを生成するための手段であって、前記デバイストリガリング要求メッセージが、識別子を備え、センサーと通信しているワイヤレスデバイスによって少なくとも部分的に使用されるマシンツーマシンサービスレイヤプロトコルを示す情報を備える、と、
前記センサーと通信している前記ワイヤレスデバイスに前記デバイストリガリング要求メッセージを送信するための手段。
［Ｃ４０］識別された前記マシンツーマシンサービスレイヤプロトコルによって定義されるように前記ワイヤレスデバイスから前記デバイストリガリング要求の肯定応答を受信するための手段をさらに備える、［Ｃ３９］に記載の装置。
［Ｃ４１］前記デバイストリガリング要求メッセージを送信するための前記手段が、通信プロトコルによって定義されるようにデータパケットを送信するための手段を備え、前記デバイストリガリング要求メッセージが前記データパケット中にカプセル化され、前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、［Ｃ３９］に記載の装置。
［Ｃ４２］前記デバイストリガリング要求は、前記デバイストリガリング要求メッセージが前記デバイストリガリング要求を送信するために使用される前記通信プロトコルに依存しないように、カプセル化される、［Ｃ４１］に記載の装置。
［Ｃ４３］実行されたとき、装置に、マシンツーマシン通信のための方法を実行することを行わせる、命令でその上に符号化されたコンピュータ可読記憶媒体を備えるコンピュータプログラム製品であって、前記方法は下記を備える、
デバイストリガリング要求メッセージを生成することであって、前記デバイストリガリング要求メッセージが、識別子を備え、センサーと通信しているワイヤレスデバイスによって少なくとも部分的に使用されるマシンツーマシンサービスレイヤプロトコルを示す情報を備える、と、
前記センサーと通信している前記ワイヤレスデバイスに前記デバイストリガリング要求メッセージを送信すること。
［Ｃ４４］識別された前記マシンツーマシンサービスレイヤプロトコルによって定義されるように前記ワイヤレスデバイスから前記デバイストリガリング要求の肯定応答を受信するための手段をさらに備える、［Ｃ４３］に記載のコンピュータプログラム製品。
［Ｃ４５］前記デバイストリガリング要求メッセージを送信するための前記手段が、通信プロトコルによって定義されるようにデータパケットを送信するための手段を備え、前記デバイストリガリング要求メッセージが前記データパケット中にカプセル化され、前記通信プロトコルが、インターネットプロトコル（ＩＰ）、ショートメッセージサービス（ＳＭＳ）、非構造化付加サービスデータ（ＵＳＳＤ）、ＣＤＭＡ２０００  １ｘ、非アクセス層（ＮＡＳ）シグナリング、ブロードキャストＳＭＳ、セルブロードキャスティング、およびマルチメディアブロードキャストマルチキャストサービス（ＭＢＭＳ）のうちの１つを備える、［Ｃ４３］に記載のコンピュータプログラム製品。
［Ｃ４６］前記デバイストリガリング要求は、前記デバイストリガリング要求メッセージが前記デバイストリガリング要求を送信するために使用される前記通信プロトコルに依存しないように、カプセル化される、［Ｃ４５］に記載のコンピュータプログラム製品。
【国際調査報告】
2015519790.tif 000020
2015519790.tif 000021
2015519790.tif 000022